(57)【要約】  本発明は、機械的強度に優れたポリアミド系樹脂発泡成形体の原料となるポリアミド系樹脂予備発泡粒子を提供することを目的とする。本発明のポリアミド系樹脂予備発泡粒子は、ポリアミド系樹脂を含み、密度ρ１（ｇ／ｃｍ３）と、０．９ＭＰａの空気で加圧した後、熱融着温度より５℃高い温度の飽和水蒸気を用いて３０秒間加熱した後の密度ρ２（ｇ／ｃｍ３）との割合（ρ１／ρ２）である膨張比が、１．０以上である、ことを特徴としている。
2020196893.tif 000002
【特許請求の範囲】
【請求項１】
ポリアミド系樹脂を含み、
密度ρ１（ｇ／ｃｍ３）と、０．９ＭＰａの空気で加圧した後、熱融着温度より５℃高い温度の飽和水蒸気を用いて３０秒間加熱した後の密度ρ２（ｇ／ｃｍ３）との割合（ρ１／ρ２）である膨張比が、１．０以上である、
ことを特徴とするポリアミド系樹脂予備発泡粒子。
【請求項２】
ポリアミド系樹脂を含み、
密度ρ１（ｇ／ｃｍ３）と、０．９ＭＰａの空気で加圧した後、示差走査熱量計を用いて、下記の条件Ｂで測定される水中測定時の補外融解開始温度から１０℃高い温度の飽和水蒸気を用いて、３０秒間加熱した後の密度ρ３（ｇ／ｃｍ３）との割合（ρ１／ρ３）である膨張比Ｂが、１．０以上である、
ことを特徴とするポリアミド系樹脂予備発泡粒子。
条件Ｂ
ポリアミド系樹脂予備発泡粒子を、純水中に埋没させた状態でアルミニウム製密閉耐圧容器に密封し、示唆走査熱量計（ＤＳＣ）により昇温速度１０℃／分で加熱して融解させ、次いで、冷却速度１０℃／分で冷却して固化されたポリアミド系樹脂予備発泡粒子を、再度、示唆走査熱量計（ＤＳＣ）で１０℃／分で加熱して融解させた際に得られる２ｎｄ  ｓｃａｎ  ＤＳＣ曲線において、最大吸熱ピークより高温側における融解終了後のＤＳＣ曲線を近似した直線をベースラインとし、最大吸熱ピークより低温側の変曲点における接線と前記ベースラインとの交点の温度を水中測定時の補外融解開始温度とする。
【請求項３】
前記ポリアミド系樹脂１００質量％に対し、卑金属元素を１０〜３０００質量ｐｐｍ含む、請求項１又は２に記載のポリアミド系樹脂予備発泡粒子。
【請求項４】
前記卑金属元素が、銅元素又は亜鉛元素である、請求項３に記載のポリアミド系樹脂予備発泡粒子。
【請求項５】
前記ポリアミド系樹脂１００質量％に対し、ヨウ素元素を１０〜６０００質量ｐｐｍ含有し、
前記卑金属元素に対する前記ヨウ素元素のモル割合（ヨウ素元素／卑金属元素）が１以上である、請求項３又は４に記載のポリアミド系樹脂予備発泡粒子。
【請求項６】
前記ポリアミド系樹脂の数平均分子量Ｍｎが１００００以上３５０００以下であり、
重量平均分子量Ｍｗが３５０００以上１４００００以下である、請求項１〜５のいずれか一項に記載のポリアミド系樹脂予備発泡粒子。
【請求項７】
電位差滴定法により測定される、前記ポリアミド系樹脂の酸価とアミン価との和（酸価＋アミン価）が、２．５ｍｇＫＯＨ／ｇ以上８．０ｍｇＫＯＨ／ｇ以下である、請求項１〜６のいずれか一項に記載のポリアミド系樹脂予備発泡粒子。
【請求項８】
示差走査熱量計を用いて、下記の条件Ａで測定されるＤＳＣ曲線において、最大吸熱ピークのピーク温度が１５０℃以上２１５℃以下であり、
前記最大吸熱ピークより高温側における融解終了後のＤＳＣ曲線を近似した直線をベースラインとし、前記最大吸熱ピークの低温側の変曲点における接線と前記ベースラインとの交点の温度である補外融解開始温度と、前記最大吸熱ピークの高温側の変曲点における接線と前記ベースラインとの交点の温度である補外融解終了温度との差に相当する最大吸熱ピークの幅が、２５℃以上８０℃以下である、請求項１〜７のいずれか一項に記載のポリアミド系樹脂予備発泡粒子。
条件Ａ
昇温速度１０℃／分の条件下で３０℃から２８０℃まで昇温した際に得られるＤＳＣ曲線。
【請求項９】
前記ポリアミド系樹脂として、ポリアミド系樹脂（Ａ）と、前記ポリアミド系樹脂（Ａ）より融点が高いポリアミド系樹脂（Ｂ）とを含む、請求項１〜８のいずれか一項に記載のポリアミド系樹脂予備発泡粒子。
【請求項１０】
前記ポリアミド系樹脂（Ａ）１００質量部に対する、前記ポリアミド系樹脂（Ｂ）の質量割合が２０質量部以下である、請求項９に記載のポリアミド系樹脂予備発泡粒子。
【請求項１１】
前記ポリアミド系樹脂１００質量％に対して、結晶性ポリアミド樹脂を５０質量％以上含む、請求項１〜１０のいずれか一項に記載のポリアミド系樹脂予備発泡粒子。
【請求項１２】
前記結晶性ポリアミド樹脂が、脂肪族ポリアミド樹脂である、請求項１１に記載のポリアミド系樹脂予備発泡粒子。
【請求項１３】
示差走査熱量計を用いて、下記の条件Ｂで測定される２ｎｄ  ｓｃａｎ  ＤＳＣ曲線において、
最大吸熱ピークより高温側における融解終了後のＤＳＣ曲線を近似した直線をベースラインとし、最大吸熱ピークより低温側の変曲点における接線と前記ベースラインとの交点の温度である補外融解開始温度から１０℃高い温度における結晶融解率が２０％以上である、請求項１〜１２のいずれか一項に記載のポリアミド系樹脂予備発泡粒子。
条件Ｂ
ポリアミド系樹脂予備発泡粒子を、純水中に埋没させた状態でアルミニウム製密閉耐圧容器に密封し、示唆走査熱量計（ＤＳＣ）により昇温速度１０℃／分で加熱して融解させ、次いで、冷却速度１０℃／分で冷却して固化されたポリアミド系樹脂予備発泡粒子を、再度、示唆走査熱量計（ＤＳＣ）で１０℃／分で加熱して融解させた際に得られるＤＳＣ曲線を２ｎｄ  ｓｃａｎ  ＤＳＣ曲線とする。
【請求項１４】
請求項１〜１３のいずれか一項に記載のポリアミド系樹脂予備発泡粒子からなる、ポリアミド系樹脂発泡成形体。
【請求項１５】
請求項１〜１３のいずれか一項に記載のポリアミド系樹脂予備発泡粒子を金型のキャビティ内に充填し、前記キャビティ内に前記ポリアミド系樹脂予備発泡粒子の融点以下の水蒸気を供給して、前記ポリアミド系樹脂予備発泡粒子を膨張させ、且つ熱融着させる工程を含む、ポリアミド系樹脂発泡成形体の製造方法。
【発明の詳細な説明】
【技術分野】
【０００１】
本発明は、ポリアミド系樹脂予備発泡粒子、ポリアミド系樹脂発泡成形体、及びポリアミド系樹脂発泡成形体の製造方法に関する。
【背景技術】
【０００２】
近年、自動車産業において、環境に対する取り組みとして、排出ガス低減のために車体の軽量化が要求されている。この要求にこたえるために、自動車の外装材料や内装材料として、金属等と比較して軽量なプラスチック製部材が用いられるようになってきている。
特に、さらなる軽量化の観点から、樹脂発泡成形体への期待が高まっている。しかしながら、汎用の発泡体はポリエチレン、ポリスチレン、ポリプロピレン等の汎用樹脂が用いられており、これら汎用樹脂は、耐熱性に劣るため、高い耐熱性が必要とされる自動車用部材等には使用することができなかった。【０００３】
一方、エンジニアリング樹脂、特に、ポリアミド系樹脂は、耐熱性が高く、また、耐摩耗性、耐薬品性等にも優れたプラスチックとして知られている。
従って、ポリアミドの発泡成形体によれば、より耐熱性が要求される用途にも使用することができると考えられる。【０００４】
ここで、樹脂発泡成形体を製造する技術としては、押出発泡法、発泡射出成形法、型内発泡成形法（ビーズ発泡成形法ともいう。）等が挙げられる。
押出発泡法は、押出機を用いて溶融状態の樹脂に有機又は無機発泡剤を圧入し、押出機出口で圧力を開放することによって、一定の断面形状を有する、板状、シート状、又は柱状の発泡体を得て、これを金型に入れて熱加工する、又は切り貼りにより目的形状に成形する方法である。【０００５】
発泡射出成形法は、発泡性を備える樹脂を射出成形し、金型内にて発泡させることによって、空孔を有する発泡成形体を得る方法である。【０００６】
型内発泡成形法は、発泡性を備える樹脂予備発泡粒子を型内に充填し、水蒸気等で加熱し、粒子を発泡させると同時に粒子同士を熱融着させることによって、発泡成形体を得る方法である。この型内発泡成形法は、製品形状を自由に設定しやすく、高発泡倍率の発泡成形体を得やすい等の利点があり、広く産業界に普及している。【０００７】
例えば、特許文献１には、オートクレーブ中にポリアミド系樹脂粒子とメチルアルコールとを水溶媒と共に入れ、系を昇温後に大気圧に放出することによって、予備発泡粒子を得て、この予備発泡粒子を成形機の金型内に充填し、成形することによって、ポリアミド系樹脂発泡成形体を得る技術が開示されている。
また、特許文献２には、オートクレーブ中でポリアミド系樹脂粒子に炭酸ガスを吹き込み、得られた粒子を加熱することによって、予備発泡粒子を得て、その後、この予備発泡粒子を成形機の金型内に充填し、熱風により加熱することによって、ポリアミド系樹脂発泡品を得る技術が開示されている。
また、特許文献３には、脂肪族ポリアミド予備発泡粒子を成形機の金型内に充填し、水蒸気により加熱することによってポリアミド系樹脂発泡成形体を得る技術が開示されている。
【先行技術文献】
【特許文献】
【０００８】
【特許文献１】特開昭６１−２６８７３７号公報
【特許文献２】特開２０１１−１０５８７９号公報
【特許文献３】特開２０１８−４４１２７号公報
【発明の概要】
【発明が解決しようとする課題】
【０００９】
しかしながら、特許文献１に記載の発泡成形体は、人体に対して極めて有害なメチルアルコールを気泡中に含有する。また、かかるメチルアルコールは、高温環境下において再度揮発し、成形体を膨らませて、その外観を損なわせる虞があるため、成形後に長期間をかけて気泡中に残存するメチルアルコールを放出する必要があった。
また、特許文献２に記載の発泡成形体は、成形時に、熱伝導率が低く、また、成形体を均一に加熱することが困難な、熱風を熱媒体として用いる。このとき、熱風の流入口となる金型のスリットの周囲において、熱風により加熱された発泡粒子が、熱融着し、その後、高温の空気に晒され続けるため、樹脂が、酸化劣化して、その着色や物性が低下する虞があった。また、スリットの周囲以外の箇所においては、熱が十分に伝わらず、樹脂の温度が十分に上がらないため、発泡粒子が熱融着しにくく、均一に融着した成形体が得られない虞があった。
また、特許文献３に記載の発泡成形体は、成形時において発泡粒子の独立気泡構造を維持するために低温の水蒸気を用いる必要があり、これによって得られた発泡成形体は予備発泡粒子の融着が足りず、機械的強度に劣る虞があった。また、発泡粒子の融着を促進させるために、高温の水蒸気によって成形しようとすると、気泡の破膜に起因する収縮が起き、樹脂発泡成形体が本来有する軽量性や断熱性等の特性が損なわれる虞があった。【００１０】
そこで、本発明は、機械的強度に優れたポリアミド系樹脂発泡成形体の原料となるポリアミド系樹脂予備発泡粒子を提供することを目的とする。
【課題を解決するための手段】
【００１１】
本発明者らは、課題解決のため鋭意検討した結果、密度ρ１（ｇ／ｃｍ３）と、０．９ＭＰａの空気で加圧し、熱融着温度より５℃高い温度の飽和水蒸気を用いて３０秒間加熱した後の密度ρ２（ｇ／ｃｍ３）との割合（ρ１／ρ２）である膨張比を特定範囲とすること等により、上記課題を解決しうることを見出し、本発明を完成させた。【００１２】
すなわち、本発明は以下の通りである。
［１］
ポリアミド系樹脂を含み、
密度ρ１（ｇ／ｃｍ３）と、０．９ＭＰａの空気で加圧した後、熱融着温度より５℃高い温度の飽和水蒸気を用いて３０秒間加熱した後の密度ρ２（ｇ／ｃｍ３）との割合（ρ１／ρ２）である膨張比が、１．０以上である、
ことを特徴とするポリアミド系樹脂予備発泡粒子。
［２］
ポリアミド系樹脂を含み、
密度ρ１（ｇ／ｃｍ３）と、０．９ＭＰａの空気で加圧した後、示差走査熱量計を用いて、下記の条件Ｂで測定される水中測定時の補外融解開始温度から１０℃高い温度の飽和水蒸気を用いて、３０秒間加熱した後の密度ρ３（ｇ／ｃｍ３）との割合（ρ１／ρ３）である膨張比Ｂが、１．０以上である、
ことを特徴とするポリアミド系樹脂予備発泡粒子。
条件Ｂ
ポリアミド系樹脂予備発泡粒子を、純水中に埋没させた状態でアルミニウム製密閉耐圧容器に密封し、示唆走査熱量計（ＤＳＣ）により昇温速度１０℃／分で加熱して融解させ、次いで、冷却速度１０℃／分で冷却して固化されたポリアミド系樹脂予備発泡粒子を、再度、示唆走査熱量計（ＤＳＣ）で１０℃／分で加熱して融解させた際に得られる２ｎｄ  ｓｃａｎ  ＤＳＣ曲線において、最大吸熱ピークより高温側における融解終了後のＤＳＣ曲線を近似した直線をベースラインとし、最大吸熱ピークより低温側の変曲点における接線と上記ベースラインとの交点の温度を水中測定時の補外融解開始温度とする。
［３］
上記ポリアミド系樹脂１００質量％に対し、卑金属元素を１０〜３０００質量ｐｐｍ含む、［１］又は［２］に記載のポリアミド系樹脂予備発泡粒子。
［４］
上記卑金属元素が、銅元素又は亜鉛元素である、［３］に記載のポリアミド系樹脂予備発泡粒子。
［５］
上記ポリアミド系樹脂１００質量％に対し、ヨウ素元素を１０〜６０００質量ｐｐｍ含有し、
上記卑金属元素に対する上記ヨウ素元素のモル割合（ヨウ素元素／卑金属元素）が１以上である、［３］又は［４］に記載のポリアミド系樹脂予備発泡粒子。
［６］
上記ポリアミド系樹脂の数平均分子量Ｍｎが１００００以上３５０００以下であり、
重量平均分子量Ｍｗが３５０００以上１４００００以下である、［１］〜［５］のいずれかに記載のポリアミド系樹脂予備発泡粒子。
［７］
電位差滴定法により測定される、上記ポリアミド系樹脂の酸価とアミン価との和（酸価＋アミン価）が、２．５ｍｇＫＯＨ／ｇ以上８．０ｍｇＫＯＨ／ｇ以下である、［１］〜［６］のいずれかに記載のポリアミド系樹脂予備発泡粒子。
［８］
示差走査熱量計を用いて、下記の条件Ａで測定されるＤＳＣ曲線において、最大吸熱ピークのピーク温度が１５０℃以上２１５℃以下であり、
上記最大吸熱ピークより高温側における融解終了後のＤＳＣ曲線を近似した直線をベースラインとし、上記最大吸熱ピークの低温側の変曲点における接線と上記ベースラインとの交点の温度である補外融解開始温度と、上記最大吸熱ピークの高温側の変曲点における接線と上記ベースラインとの交点の温度である補外融解終了温度との差に相当する最大吸熱ピークの幅が、２５℃以上８０℃以下である、［１］〜［７］のいずれかに記載のポリアミド系樹脂予備発泡粒子。
条件Ａ
昇温速度１０℃／分の条件下で３０℃から２８０℃まで昇温した際に得られるＤＳＣ曲線。
［９］
上記ポリアミド系樹脂として、ポリアミド系樹脂（Ａ）と、上記ポリアミド系樹脂（Ａ）より融点が高いポリアミド系樹脂（Ｂ）とを含む、［１］〜［８］のいずれかに記載のポリアミド系樹脂予備発泡粒子。
［１０］
上記ポリアミド系樹脂（Ａ）１００質量部に対する、上記ポリアミド系樹脂（Ｂ）の質量割合が２０質量部以下である、［９］に記載のポリアミド系樹脂予備発泡粒子。
［１１］
上記ポリアミド系樹脂１００質量％に対して、結晶性ポリアミド樹脂を５０質量％以上含む、［１］〜［１０］のいずれかに記載のポリアミド系樹脂予備発泡粒子。
［１２］
上記結晶性ポリアミド樹脂が、脂肪族ポリアミド樹脂である、［１１］に記載のポリアミド系樹脂予備発泡粒子。
［１３］
示差走査熱量計を用いて、下記の条件Ｂで測定される２ｎｄ  ｓｃａｎ  ＤＳＣ曲線において、
最大吸熱ピークより高温側における融解終了後のＤＳＣ曲線を近似した直線をベースラインとし、最大吸熱ピークより低温側の変曲点における接線と上記ベースラインとの交点の温度である補外融解開始温度から１０℃高い温度における結晶融解率が２０％以上である、［１］〜［１２］のいずれかに記載のポリアミド系樹脂予備発泡粒子。
条件Ｂ
ポリアミド系樹脂予備発泡粒子を、純水中に埋没させた状態でアルミニウム製密閉耐圧容器に密封し、示唆走査熱量計（ＤＳＣ）により昇温速度１０℃／分で加熱して融解させ、次いで、冷却速度１０℃／分で冷却して固化されたポリアミド系樹脂予備発泡粒子を、再度、示唆走査熱量計（ＤＳＣ）で１０℃／分で加熱して融解させた際に得られるＤＳＣ曲線を２ｎｄ  ｓｃａｎ  ＤＳＣ曲線とする。
［１４］
［１］〜［１３］のいずれかに記載のポリアミド系樹脂予備発泡粒子からなる、ポリアミド系樹脂発泡成形体。
［１５］
［１］〜［１３］のいずれかに記載のポリアミド系樹脂予備発泡粒子を金型のキャビティ内に充填し、上記キャビティ内に上記ポリアミド系樹脂予備発泡粒子の融点以下の水蒸気を供給して、上記ポリアミド系樹脂予備発泡粒子を膨張させ、且つ熱融着させる工程を含む、ポリアミド系樹脂発泡成形体の製造方法。
【発明の効果】
【００１３】
本発明によれば、機械的強度に優れたポリアミド系樹脂発泡成形体の原料となるポリアミド系樹脂予備発泡粒子を提供することができる。
【図面の簡単な説明】
【００１４】
【図１】本発明のポリアミド系樹脂予備発泡粒子について、示差走査熱量計を用いて昇温速度１０℃／分の条件下で３０℃から２８０℃まで昇温した際に得られるＤＳＣ曲線の一例を示す図である。
【発明を実施するための形態】
【００１５】
以下、本発明を実施するための形態（以下、「本実施形態」と言う。）について詳細に説明する。以下の実施形態は、本発明を説明するための例示であり、本発明は、以下の実施形態に限定されるものではなく、その要旨の範囲内で種々変形して実施することができる。
【００１６】
［ポリアミド系樹脂予備発泡粒子］
本実施形態のポリアミド系樹脂予備発泡粒子は、ポリアミド系樹脂を含み、密度ρ１（ｇ／ｃｍ３）と、０．９ＭＰａの空気で加圧した後、熱融着温度より５℃高い温度の飽和水蒸気を用いて３０秒間加熱した後の密度ρ２（ｇ／ｃｍ３）との割合（ρ１／ρ２）である膨張比が１．０以上である。
別の本実施形態のポリアミド系樹脂予備発泡粒子は、ポリアミド系樹脂を含み、密度ρ１（ｇ／ｃｍ３）と、０．９ＭＰａの空気で加圧した後、示差走査熱量計を用いて、下記の条件Ｂで測定される水中測定時の補外融解開始温度Ｂから１０℃高い温度の飽和水蒸気を用いて、３０秒間加熱した後の密度ρ３（ｇ／ｃｍ３）との割合（ρ１／ρ３）である膨張比Ｂが、１．０以上である。
条件Ｂ
ポリアミド系樹脂予備発泡粒子を、純水中に埋没させた状態でアルミニウム製密閉耐圧容器に密封し、示唆走査熱量計（ＤＳＣ）により昇温速度１０℃／分で加熱して融解させ、次いで、冷却速度１０℃／分で冷却して固化されたポリアミド系樹脂予備発泡粒子を、再度、示唆走査熱量計（ＤＳＣ）で１０℃／分で加熱して融解させた際に得られる２ｎｄ  ｓｃａｎ  ＤＳＣ曲線において、最大吸熱ピークより高温側における融解終了後のＤＳＣ曲線を近似した直線をベースラインとし、最大吸熱ピークより低温側の変曲点における接線と上記ベースラインとの交点の温度を補外融解開始温度Ｂとする。  上記膨張比及び／又は上記膨張比Ｂが１．０以上であるポリアミド系樹脂予備発泡粒子としては、例えば、（ｉ）ポリアミド系樹脂１００質量％に対して、卑金属元素を１０〜３０００質量ｐｐｍ含むポリアミド系樹脂予備発泡粒子、（ｉｉ）示差走査熱量計を用いて、昇温速度１０℃／分の条件下で３０℃から２８０℃まで昇温した際に得られるＤＳＣ曲線において、最大吸熱ピークのピーク温度が１５０℃以上２１５℃以下であり、上記最大吸熱ピークより高温側における融解終了後のＤＳＣ曲線を近似した直線をベースラインとし、上記最大吸熱ピークの低温側の変曲点における接線と上記ベースラインとの交点の温度である補外融解開始温度と、上記最大吸熱ピークの高温側の変曲点における接線と上記ベースラインとの交点の温度である補外融解終了温度との差に相当する上記最大吸熱ピークの幅が、２５℃以上８０℃以下であるポリアミド系樹脂予備発泡粒子、（ｉｉｉ）ポリアミド系樹脂１００質量％に対して、結晶性ポリアミド樹脂を５０質量％以上含むポリアミド系樹脂予備発泡粒子、（ｉｖ）上記（ｉ）〜（ｉｉｉ）の２つ以上を組み合わせたポリアミド系樹脂予備発泡粒子、等が挙げられる。
【００１７】
本実施形態（例えば、上記［１］〜［１３］の形態等）において、ポリアミド系樹脂予備発泡粒子は、ポリアミド系樹脂を含むポリアミド系樹脂組成物を発泡させた予備発泡粒子である。上記ポリアミド系樹脂組成物は、ポリアミド系樹脂を含み、さらにその他の成分を含んでいてもよい。
ここで、「予備発泡粒子」とは、ポリアミド系樹脂組成物の発泡によって形成された多孔構造を有し、最終段階の発泡を行っていない発泡性を備えた樹脂粒子（ビーズ等）を指す。例えば、ポリアミド系樹脂発泡成形体の原料として用いることができる。
【００１８】
（ポリアミド系樹脂）
本実施形態（例えば、上記［１］〜［１３］の形態等）において、上記ポリアミド系樹脂としては、例えば、ポリアミド単独重合体、ポリアミド共重合体、これらの混合物、が挙げられる。
上記ポリアミド単独重合体としては、ジアミンとジカルボン酸との重縮合により得られる、ポリアミド６６、ポリアミド６１０、ポリアミド６１２、ポリアミド４６、ポリアミド１２１２等、ラクタムの開環重合により得られる、ポリアミド６、ポリアミド１２等が挙げられる。
上記ポリアミド共重合体としては、例えば、ポリアミド６／６６、ポリアミド６６／６、ポリアミド６６／６１０、ポリアミド６６／６１２、ポリアミド６６／６Ｔ（Ｔは、テレフタル酸成分を表す）、ポリアミド６６／６Ｉ（Ｉは、イソフタル酸成分を表す）、ポリアミド６Ｔ／６Ｉ等が挙げられる。
中でも脂肪族ポリアミドが好ましく、ポリアミド６、ポリアミド６６、ポリアミド６／６６、ポリアミド６６／６等がより好ましい。
これらは、１種単独で用いてもよく、２種以上を組み合わせて混合物として用いてもよい。
【００１９】
本実施形態（例えば、上記［１］〜［１３］の形態等）において、上記ポリアミド系樹脂としては、融点が異なる２種以上のポリアミド系樹脂を含むことが好ましい。中でも、蒸気を用いたビーズ発泡成形における最適温度領域が広くなり、成形時の粒子間の融着性が改善し、発泡倍率が上がり、機械的特性に一層優れる発泡成形体が得られる観点から、ポリアミド系樹脂（Ａ）と、ポリアミド系樹脂（Ａ）より融点が高いポリアミド系樹脂（Ｂ）とを含むことが好ましい。これにより、補外融解開始温度と補外融解終了温度との差に相当する最大吸熱ピークの幅が、２５℃以上８０℃以下であることを実現でき、ポリアミド系樹脂予備発泡粒子を発泡成形する際に十分に発泡させることができる。
【００２０】
本実施形態（例えば、上記［１］〜［１３］の形態等）において、上記ポリアミド系樹脂（Ａ）と上記ポリアミド系樹脂（Ｂ）との融点の差としては、蒸気を用いたビーズ発泡成形における最適温度領域が広くなり、発泡倍率が上がり、機械的特性に一層優れる発泡成形体が得られる観点から、５℃以上であることが好ましく、ポリアミド系樹脂予備発泡粒子の押出成形時の押出安定性が向上する観点から、より好ましくは１０〜７０℃、さらに好ましくは１５〜５０℃である。
なお、ポリアミド系樹脂が３種以上含まれる場合、融点が最小のポリアミド系樹脂をポリアミド系樹脂（Ａ）、融点が最大のポリアミド系樹脂をポリアミド系樹脂（Ｂ）としてよい。
【００２１】
上記ポリアミド系樹脂（Ａ）とポリアミド系樹脂（Ｂ）との組み合わせとしては、例えば、上記ポリアミド単独重合体及び／又は上記ポリアミド共重合体の組み合わせを含む混合物としてよく、ポリアミド６とポリアミド６６との組み合わせ、ポリアミド６とポリアミド６１２との組み合わせ、ポリアミド６とポリアミド６１０との組み合わせ、ポリアミド６とポリアミド６Ｔとの組み合わせ、ポリアミド６とポリアミド６Ｉとの組み合わせ、ポリアミド６１２とポリアミド６６との組み合わせ、ポリアミド６１０とポリアミド６６との組み合わせ、ポリアミド６６とポリアミド６Ｔとの組み合わせ、ポリアミド６６とポリアミド６Ｉとの組み合わせ、ポリアミド６／６６とポリアミド６との組み合わせ、ポリアミド６／６６とポリアミド６６との組み合わせ、異なる２種のポリアミド６／６６の組み合わせ、等が挙げられる。これらの中でも、ポリアミド系樹脂（Ａ）としてはポリアミド６／６６が好ましく、ポリアミド系樹脂（Ｂ）としてはポリアミド６又はポリアミド６／６６が好ましく、ポリアミド系樹脂（Ａ）がポリアミド６／６６であり、ポリアミド系樹脂（Ｂ）がポリアミド６である組み合わせが好ましい。これにより発泡成形体の結晶化度を高めて、耐熱性及び融着率が十分となる。
なお、上記ポリアミド系樹脂は、上述のポリアミド系樹脂（Ａ）とポリアミド系樹脂（Ｂ）との組み合わせのみからなる混合物であってもよいし、ポリアミド系樹脂（Ａ）とポリアミド系樹脂（Ｂ）との組み合わせに加えてさらに他のポリアミド系樹脂を含む混合物であってもよい。
【００２２】
本実施形態（例えば、上記［１］〜［１３］の形態等）において、上記ポリアミド系樹脂組成物（１００質量％）中の上記ポリアミド系樹脂（Ａ）の質量割合としては、５０〜９９．５質量％が好ましく、より好ましくは８０〜９９質量％である。また、ポリアミド系樹脂予備発泡粒子（１００質量％）中の上記ポリアミド系樹脂（Ａ）の質量割合としては、５０〜９９．５質量％が好ましく、より好ましくは８０〜９９質量％である。
【００２３】
本実施形態（例えば、上記［１］〜［１３］の形態等）において、上記ポリアミド系樹脂組成物（１００質量％）中の上記ポリアミド系樹脂（Ｂ）の質量割合としては、０．１〜５０質量％が好ましく、より好ましくは０．５〜１０質量％である。また、ポリアミド系樹脂予備発泡粒子（１００質量％）中の上記ポリアミド系樹脂（Ｂ）の質量割合としては、０．１〜５０質量％が好ましく、より好ましくは０．５〜１０質量％である。
押出成形時の温度を低減して、樹脂の熱劣化を抑制し、押出成形時の押出安定性が向上する観点から、上記ポリアミド系樹脂組成物（１００質量％）中の上記ポリアミド系樹脂（Ａ）の質量割合は、上記ポリアミド系樹脂組成物（１００質量％）中の上記ポリアミド系樹脂（Ｂ）の質量割合より多いことが好ましく、３０質量％以上多いことがより好ましく、６０質量％以上多いことがさらに好ましい。また、同様の観点から、ポリアミド系樹脂予備発泡粒子（１００質量％）中の上記ポリアミド系樹脂（Ａ）の質量割合は、上記ポリアミド系樹脂予備発泡粒子（１００質量％）中の上記ポリアミド系樹脂（Ｂ）の質量割合より多いことが好ましく、３０質量％以上多いことがより好ましく、６０質量％以上多いことがさらに好ましい。
【００２４】
本実施形態（例えば、上記［１］〜［１３］の形態等）において、上記ポリアミド系樹脂組成物は、上記ポリアミド系樹脂（Ａ）１００質量部に対する、上記ポリアミド系樹脂（Ｂ）の質量割合が、２０質量部以下であることが好ましく、より好ましくは０．５〜２０質量部、さらに好ましくは１〜１０質量部である。質量割合が上記範囲であると、発泡成形体の結晶化度を高めて、耐熱性及び融着率が十分となる。
また、ポリアミド系樹脂予備発泡粒子においても、上記ポリアミド系樹脂（Ａ）１００質量部に対する、上記ポリアミド系樹脂（Ｂ）の質量割合は、２０質量部以下であることが好ましく、より好ましくは０．５〜２０質量部、さらに好ましくは１〜１０質量部である。
【００２５】
発泡成形体として、優れた軽量性が求められる場合には、炭酸ガスや炭化水素等の発泡剤を含みやすく、発泡成形体の密度を低くすることができる観点から、非晶性のポリアミド樹脂を含むことが好ましい。この場合、上記ポリアミド系樹脂組成物において、上記ポリアミド系樹脂１００質量％に対して、非晶性ポリアミド樹脂の含有割合が５０質量％未満であることが好ましく、３０質量％未満であることがさらに好ましい。また、上記ポリアミド系樹脂予備発泡粒子において、上記ポリアミド系樹脂１００質量％に対して、非晶性ポリアミド樹脂の含有割合が５０質量％未満であることが好ましく、３０質量％未満であることがさらに好ましい。
【００２６】
本実施形態（例えば、上記［１］〜［１３］の形態等）において、上記ポリアミド系樹脂組成物は、後述の膨張比及び／又は膨張比Ｂを１．０以上とする観点、及び発泡粒子の融着が十分に進行する温度においても、気泡の破膜に起因する収縮をより一層抑え、より高い膨張比をもち、耐熱性及び機械的強度により優れたポリアミド系樹脂発泡成形体を得る観点、及び発泡成形時の高温環境下でのポリアミド系樹脂組成物の粘度が低下し、発泡粒子間の樹脂の相互拡散を促進せしめ、成形品の融着性が向上し、機械強度を向上させる観点から、上記ポリアミド系樹脂１００質量％に対して、結晶性ポリアミド樹脂を５０質量％以上含むことが好ましい。発泡成形体として耐熱性、耐薬品性、耐油性と軽量性とのバランスが求められる場合には、上記ポリアミド系樹脂１００質量％に対して、結晶性ポリアミド樹脂を５０質量％以上含むことが好ましく、７０質量％以上含むことがより好ましい。また、上記ポリアミド系樹脂予備発泡粒子において、上記ポリアミド系樹脂１００質量％に対して、結晶性ポリアミド樹脂を５０質量％以上含むことが好ましく、７０質量％以上含むことがより好ましい。
また、上記結晶性ポリアミド樹脂は結晶性の脂肪族ポリアミド樹脂であることが好ましく、上記ポリアミド系樹脂１００質量％に対して結晶性の脂肪族ポリアミド樹脂を５０質量％以上含むことがより好ましい。
本実施形態における結晶性ポリアミドは、主鎖中にアミド結合（−ＮＨＣＯ−）を有する重合体で、かつ示差走査熱量計（ＤＳＣ）で求めた融解熱量が１Ｊ／ｇ以上、好ましくは１０Ｊ／ｇ以上、より好ましくは１５Ｊ／ｇ以上、最も好ましくは２０Ｊ／ｇ以上であるポリアミドをいう。示差走査熱量計（ＤＳＣ）の測定は、具体的には、パーキンエルマー社製ＤＳＣ−７型を用いて測定することができる。更に詳しく述べれば、窒素雰囲気下、試料約８ｍｇを３００℃で２分間保った後、降温速度２０℃／ｍｉｎで４０℃まで降温して、さらに４０℃で２分間保持した後、昇温速度２０℃／ｍｉｎで昇温したときに現れる吸熱ピーク（融解ピーク）のピーク面積から求めることができる。また、非晶性ポリアミドとは、上述の条件で測定した際に、融解熱量が１Ｊ／ｇ未満であるポリアミドをいう。
【００２７】
本実施形態（例えば、上記［１］〜［１３］の形態等）において、上記ポリアミド系樹脂が、ポリアミド系樹脂の混合物である場合、発泡成形体の結晶化度を高めて、耐熱性を十分にする観点から、上記ポリアミド系樹脂組成物は、ポリアミド系樹脂１００質量％に対して、脂肪族ポリアミドを５０質量％超含むことが好ましく、６０質量％以上含むことがより好ましく、７０質量％以上含むことがさらに好ましく、７５質量％以上含むことが格別好ましい。また、同様の観点から、上記ポリアミド系樹脂予備発泡粒子において、ポリアミド系樹脂１００質量％に対して、脂肪族ポリアミドを５０質量％超含むことが好ましく、６０質量％以上含むことがより好ましく、７０質量％以上含むことがさらに好ましく、７５質量％以上含むことが格別好ましい。
【００２８】
本実施形態（例えば、上記［１］〜［１３］の形態等）において、ポリアミド系樹脂の融点は、発泡成形体の耐熱性を十分にする観点から、１５０℃以上であることが好ましく、１８０℃以上であることが更に好ましく、また、発泡成形体の成形プロセスにおいて予備発泡粒子同士の融着率を向上させる観点から、２７０℃以下であることが好ましく、２５０℃以下であることが更に好ましい。
なお、本明細書において、ポリアミド系樹脂の融点は、ＪＩＳ  Ｋ７１２１に準じて、示差走査熱量測定（ＤＳＣ）により測定した値を指す。測定で現れた吸熱を示すピークを樹脂の融解を示すピークとし、最も高温側に現れた吸熱を示すピークにおける温度を、融点とする。
測定装置としては、市販の示差走査熱量計を用いてよく、例えば、パーキンエルマー社製のＤＳＣ７等が挙げられる。
測定条件としては、通常の条件を用いてよく、例えば、不活性ガス雰囲気下、樹脂をその融点超の温度で保持し、その後、２０℃／分で室温程度まで急冷し、次いで、融点超の温度まで２０℃／分で昇温させる条件等が挙げられる。
【００２９】
ポリアミド系樹脂が末端に有する高反応性の官能基（アミノ基及びカルボキシル基）を、ポリアミド系樹脂の合成において末端封止剤を添加することによって、低反応性の官能基に変える（ポリアミド系樹脂の末端を封鎖する）ことができる。
この場合、末端封止剤を添加する時期としては、原料仕込み時、重合開始時、重合中後期、又は重合終了時が挙げられる。
末端封止剤としては、ポリアミド系樹脂のアミノ基又はカルボキシル基との間で反応し得る単官能性の化合物である限り、特に制限されることなく、例えば、モノカルボン酸、モノアミン、酸無水物、モノイソシアネート、モノ酸ハロゲン化物、モノエステル類、モノアルコール類等が挙げられる。これらは、１種単独で用いてもよく、２種以上を組み合わせて用いてもよい。
【００３０】
本実施形態（例えば、上記［１］〜［１３］の形態等）において、ポリアミド系樹脂の酸価及びアミン価としては、それぞれ、０ｍｇＫＯＨ／ｇ以上としてよく、また、ポリアミド系樹脂の溶融滞留時にゲル化や劣化を生じにくくする観点、及び樹脂の使用環境下において着色や加水分解等の問題を生じにくくする観点から、１０ｍｇＫＯＨ／ｇ以下であることが好ましく、５ｍｇＫＯＨ／ｇ以下であることが更に好ましい。
上記ポリアミド系樹脂の上記アミン価と上記酸価との和（酸価＋アミン価）は、ポリアミド系樹脂の卑金属化合物との相互作用をより強固なものとし、予備発泡粒子の融着が十分に進行する温度においても、気泡の破膜に起因する収縮をより一層抑え、より高い膨張比を与える観点から、２．５ｍｇＫＯＨ／ｇ以上８．０ｍｇＫＯＨ／ｇ以下であることが好ましく、より好ましくは３．０〜６．５ｍｇＫＯＨ／ｇ、さらに好ましくは３．５〜５．５ｍｇＫＯＨ／ｇである。
上記アミン価と酸価とは、同じであってもよいし異なっていてもよい。
なお、上記酸価及びアミン価は、後述の実施例に記載の方法により測定することができる。また、ポリアミド系樹脂の酸価、アミン価は、ポリアミド系樹脂の分子量を変更したり、上述の末端封止剤を使用したりすることにより調整することができる。
【００３１】
本実施形態（例えば、上記［１］〜［１３］の形態等）において、ポリアミド系樹脂の飽和吸水率（２３℃１００％ＲＨ）は、３％以上であることが好ましく、この範囲であると、ポリアミド系樹脂予備発泡粒子を含水処理した場合に優れた融着性を発現することができる観点から好ましく、より好ましくは６％以上である。
【００３２】
本実施形態（例えば、上記［１］〜［１３］の形態等）において、ポリアミド系樹脂の数平均分子量Ｍｎは、発泡成形時の高温環境下でのポリアミド系樹脂の粘度が低下し、発泡粒子間の樹脂の相互拡散を促進せしめ、成形品の融着性が向上し、機械強度を向上させる観点から、３５０００以下であることが好ましく、発泡成形時の高温環境下でも高分子鎖の３次元ネットワークを保持し、気泡の膜の強度を上げ、破泡を抑える観点から、１００００以上であることが好ましい。より好ましくは１２０００〜２７０００、さらに好ましくは１５０００〜３００００、特に好ましくは１６０００〜２６０００である。
また、ポリアミド系樹脂の重量平均分子量Ｍｗは、発泡成形時の高温環境下でのポリアミド系樹脂の粘度が低下し、発泡粒子間の樹脂の相互拡散を促進せしめ、成形品の融着性が向上し、機械強度を向上させる観点から、１４００００以下であることが好ましく、発泡成形時の高温環境下でも高分子鎖の３次元ネットワークを保持し、気泡の膜の強度を上げ、破泡を抑える観点から、３５０００以上であることが好ましい。より好ましくは４００００〜１２５０００、さらに好ましくは６００００〜１２００００、特に好ましくは６５０００〜１２００００である。
なお、数平均分子量Ｍｎ、重量平均分子量Ｍｗは、後述の実施例に記載の方法により測定することができる。
【００３３】
（その他の成分）
本実施形態のポリアミド系樹脂組成物及び／又はポリアミド系樹脂予備発泡粒子は、さらにその他の成分を含んでいてもよい。
上記他の添加成分としては、例えば、卑金属元素含有化合物；ヨウ素元素含有化合物；安定剤、難燃剤、気泡調整剤、改質剤、衝撃改良材、滑剤、顔料、染料、耐候性改良剤、帯電防止剤、耐衝撃改質剤、結晶核剤、ガラスビーズ、無機充填材、架橋剤、タルク等の核剤、他の熱可塑性樹脂等の添加成分；が挙げられる。
【００３４】
−卑金属元素含有化合物−
上記卑金属元素としては、鉄、銅、ニッケル、鉛、亜鉛、すず、タングステン、モリブデン、タンタル、コバルト、ビスマス、カドミウム、チタン、ジルコニウム、アンチモン、マンガン、ベリリウム、クロム、ゲルマニウム、バナジウム、ガリウム、ハフニウム、インジウム、ニオブ、レニウム、タリウム等の元素が該当する。成形性の向上効果、コスト、及び有毒性の観点から、銅元素又は亜鉛元素が好ましい。
【００３５】
本実施形態（例えば、上記［１］〜［１３］の形態等）において、卑金属元素の含有量としては、ポリアミド系樹脂１００質量％に対して、１０〜３０００質量ｐｐｍであることが好ましい。また、２０質量ｐｐｍ以上であることがより好ましく、さらに好ましくは３０質量ｐｐｍ以上である。また、２５００質量ｐｐｍ以下であることがより好ましく、さらに好ましくは質量２０００ｐｐｍ以下である。卑金属元素の含有量が１０質量ｐｐｍ以上であると、型内成形時に収縮による密度の低下やバラつきを抑えることができ、２０質量ｐｐｍ以上であると、熱安定性を一層向上させることができる。卑金属元素の含有量が３０００質量ｐｐｍ以下であると、溶融混錬時に卑金属元素含有化合物が凝集しにくくなり、卑金属元素含有化合物の凝集に起因する気泡の破膜や、発泡粒子の外観不良が起こりにくくなる。
なお、ポリアミド系樹脂組成物中及び／又はポリアミド系樹脂予備発泡粒子中の、卑金属元素の種類は、蛍光Ｘ線により同定することができる。また、卑金属元素の質量割合は、誘導結合プラズマ発光分光分析法（ＩＣＰ−ＡＥＳ）により測定することができ、具体的には後述の実施例に記載の方法により測定することができる。
【００３６】
上記卑金属元素を供給する化合物としては、卑金属元素を含む化合物であれば特に限定されることなく、例えば、ハロゲン化金属や酢酸金属等の塩や、エチレン−不飽和カルボン酸金属塩共重合体のようなアイオノマー等が挙げられる。
なお、本明細書において、卑金属元素を供給する化合物を、「卑金属元素含有化合物」と称する場合がある。
【００３７】
−ヨウ素元素含有化合物−
本実施形態（例えば、上記［１］〜［１３］の形態等）において、上記ヨウ素元素の含有量としては、ポリアミド系樹脂１００質量％に対して、１０〜６０００質量ｐｐｍであることが好ましい。また、１００質量ｐｐｍ以上であることがより好ましく、さらに好ましくは１０００質量ｐｐｍ以上である。１０質量ｐｐｍ以上のヨウ素元素を含むことで、成形時の収縮による密度の低下を抑えることができ、１００質量ｐｐｍ以上含むことで、熱安定性がさらに向上する。ヨウ素元素の上記含有量は、着色性の観点から、６０００質量ｐｐｍ以下であることが好ましく、より好ましくは５０００質量ｐｐｍ以下、さらに好ましくは４０００質量ｐｐｍ以下である。
ポリアミド系樹脂組成物及び／又はポリアミド系樹脂予備発泡粒子中の、ヨウ素元素の上記含有量は、イオンクロマトグラフ法で測定することができ、具体的には後述の実施例に記載の方法により測定することができる。
【００３８】
本実施形態（例えば、上記［１］〜［１３］の形態等）において、上記ポリアミド系樹脂組成物及び／又は上記ポリアミド樹脂系予備発泡粒子中の、上記卑金属元素に対する上記ヨウ素元素のモル割合（ヨウ素元素／卑金属元素）は、１．０以上であることが好ましく、より好ましくは３．０以上である。モル割合が１．０以上であれば成形性を向上させることができ、３．０以上であれば、さらに熱安定性に優れた発泡成形体をつくることができる。
ここで、卑金属元素に対するヨウ素元素のモル割合は、次の通り求められるものを指す。すなわち、ＩＣＰ−ＡＥＳによって測定された卑金属元素の質量濃度ｍｘを、その元素の原子量で除することにより、その卑金属元素のモル濃度［ｘ］を求め、これを蛍光Ｘ線で検出された全ての卑金属元素について合計することにより、卑金属元素全体のモル濃度［Ｍ］を求めることができる。同様にイオンクロマトグラフ法によって測定されたヨウ素元素の質量濃度ｍ２をヨウ素の原子量で除した値を［Ｉ］とする。この［Ｉ］を［Ｍ］で除した値［Ｉ］／［Ｍ］を、卑金属元素に対するヨウ素元素のモル割合とする。
また、例えば、卑金属元素が銅元素のみである場合、ＩＣＰ−ＡＥＳによって測定された銅元素の質量濃度を銅の原子量で除した値［Ｃｕ］を求め、上記［Ｉ］を［Ｃｕ］で除して［Ｉ］／［Ｃｕ］を求めることができる。
【００３９】
ヨウ素元素を供給する化合物としては、ヨウ素元素を含む化合物であれば特に限定されることなく、例えば、ヨウ化カリウムやヨウ化ナトリウム等のアルカリ金属塩、ヨウ化テトラブチルアンモニウム等のアンモニウム塩等が挙げられる。
なお、本明細書において、ヨウ素元素を供給する化合物を、「ヨウ素元素含有化合物」と称する場合がある。
【００４０】
卑金属元素含有化合物及び／又はヨウ素元素含有化合物を添加する方法としては、特に限定はされないが、公知の溶融混錬法によって添加することができ、例えば、押出機を用いた溶融混錬法が挙げられる。この際、卑金属元素含有化合物とヨウ素元素含有化合物は、原料となるポリアミド系樹脂に直接ドライブレンドしても良いが、操作性向上の観点から、卑金属元素含有化合物を含むマスターバッチとヨウ素元素含有化合物を含むマスターバッチ、又は卑金属元素含有化合物とヨウ素元素含有化合物との両方を含むマスターバッチをブレンドして溶融混錬することが好ましい。
【００４１】
押出機としては、一つのスクリュを備えた単軸押出機や、二つのスクリュを備えた二軸押出機を用いることができる。二軸押出機では、二つのスクリュが同方向に回転するもの、異方向に回転するものでも、いずれも用いることができる。
【００４２】
溶融混錬時におけるシリンダの設定温度は、ポリアミド系樹脂の融点以上であれば特に限定されず、例えば、２００〜３４０℃の範囲内である。より好ましくは、２００〜３００℃の範囲内である。生産性を保つためには２００℃以上の設定温度で溶融混錬することが好ましく、ポリアミド系樹脂の熱劣化を抑制する為には、２９０℃以下の設定温度で溶融混錬することが好ましい。卑金属元素含有化合物の分散性の観点から、使用するポリアミド系樹脂によって好ましい設定温度は異なり、ポリアミド系樹脂の融点より２０〜８０℃高い設定温度で溶融混錬することが望ましい。
【００４３】
ポリアミド系樹脂組成物の押出時における樹脂温度は、シリンダの設定温度・スクリュ回転数・樹脂の供給量等の因子によって影響を受ける。溶融混錬時の溶融樹脂温度として、２１０〜３４０℃となる温度とするのが好ましい。より好ましくは、２２０〜３２０℃であり、これは、押出機の先端フランジ内に取り付けた接触式熱電対等の温度計で実測した温度である。
【００４４】
溶融混錬後は、ダイから吐出させることによりストランドとして押し出し、冷却槽で水冷し、カッティングを行い、発泡に利用しやすい所望の粒子形状とすることが好ましい。ポリアミド系樹脂組成物の粒子形状としては、特に限定されることなく、例えば、ビーズ状、ペレット状、球体、不定形の粉砕物等が挙げられる。また、上記粒子径状の平均粒子径は、発泡後の発泡粒子の大きさを適度なものとし、発泡粒子を取り扱いやすくして、成形時の充填をより密にする観点から、０．５〜４．０ｍｍであることが好ましく、０．５〜２．５ｍｍであることがより好ましい。なお、平均粒子径は、任意のポリアミド系樹脂組成物の粒子２０個をマイクロスコープで撮影し、それぞれの粒子において粒子の中心を通る直線２本を直交するように引いて、算出した粒子径を平均することにより得られる。なお、直線２本の線の長さが異なる場合は、長い方をその粒子の粒子径として採用する。
【００４５】
−添加成分−
上記添加成分とは、上記ポリアミド系樹脂、上記卑金属元素含有化合物、上記ヨウ素元素含有化合物、を除く化合物をいうものとする。
【００４６】
上記安定剤としては、特に限定されることなく、例えば、ヒンダードフェノール系酸化防止剤、硫黄系酸化防止剤、リン系酸化防止剤、ホスファイト化合物、チオエーテル系化合物等の有機系酸化防止剤や熱安定剤；ヒンダードアミン系、ベンゾフェノン系、イミダゾール系等の光安定剤や紫外線吸収剤；金属不活性化剤；等が挙げられる。これらは、１種単独で用いてもよく、もちろん２種以上を組み合わせて用いてもよい。
【００４７】
上記熱安定剤としては、１２０℃以上の高温環境下で長期熱老化を効果的に防止する観点から、銅化合物が好ましく、この銅化合物とハロゲン化アルカリ金属化合物との組み合わせも好ましい。ここで、ハロゲン化アルカリ金属化合物としては、塩化リチウム、臭化リチウム、ヨウ化リチウム、フッ化ナトリウム、塩化ナトリウム、臭化ナトリウム、ヨウ化ナトリウム、フッ化カリウム、塩化カリウム、臭化カリウム、ヨウ化カリウム等が挙げられる。これらは、１種単独で用いてもよく、２種以上を組み合わせて用いてもよい。
【００４８】
難燃剤としては、特に限定されないが、ハロゲン系難燃剤とアンチモン化合物との組み合わせが好ましい。
ここで、ハロゲン系難燃剤としては、臭素化ポリスチレン、臭素化ポリフェニレンエーテル、臭素化ビスフェノール型エポキシ樹脂、臭素化スチレン無水マレイン酸共重合体、臭素化エポキシ樹脂、臭素化フェノキシ樹脂、デカブロモジフェニルエーテル、デカブロモビフェニル、臭素化ポリカーボネート、パークロロシクロペンタデカン、臭素化架橋芳香族重合体が好ましく、また、アンチモン化合物としては、三酸化アンチモン、五酸化アンチモン、アンチモン酸ナトリウムが好ましい。
難燃剤としては、熱安定性の観点から、ジブロモポリスチレンと三酸化アンチモンとの組み合わせが好ましい。
また、難燃剤としては、非ハロゲン系難燃剤も用いられてよく、具体的には、メラミンシアヌレート、赤リン、ホスフィン酸金属塩、含窒素リン酸系化合物等が挙げられ、特に、ホスフィン酸金属塩と、含窒素リン酸系化合物（例えば、メラミンやメラミンの縮合物（メラム、メロン等）とポリリン酸との、反応生成物又は混合物も含む）との組み合わせが好ましい。
【００４９】
ポリアミド系樹脂予備発泡粒子の平均気泡径を調節する必要がある場合は、気泡調整剤を添加してもよい。気泡調整剤としては、無機造核剤には、タルク、シリカ、ケイ酸カルシウム、炭酸カルシウム、酸化アルミニウム、酸化チタン、珪藻土、クレー、重曹、アルミナ、硫酸バリウム、酸化アルミニウム、ベントナイト等があり、その使用量は通常、ポリアミド系樹脂予備発泡粒子の原料全量に対して、０．００５〜５質量部を添加する。
【００５０】
ポリアミド系樹脂組成物中及び／又はポリアミド系樹脂予備発泡粒子中の上記添加成分の含有量は、ポリアミド系樹脂１００質量部に対して、１５質量部以下としてよく、６質量部以下であることが好ましく、３質量部以下であることがさらに好ましい。
【００５１】
本実施形態において、上記添加成分を添加する方法としては、卑金属元素含有化合物やヨウ素元素含有化合物と同時に添加してもよく、また卑金属元素含有化合物やヨウ素元素含有化合物を添加する工程の前もしくは後に、もう一度溶融混錬を行って添加してもよい。より好ましくは、一つの二軸押出機中で、卑金属元素含有化合物やヨウ素元素含有化合物と同時に溶融混錬することが望ましい。
【００５２】
なお、上記ポリアミド系樹脂組成物には、本発明の目的を損なわない範囲において、ポリアミド系樹脂のアミノ基又はカルボキシル基と反応する置換基（以下、反応性の置換基ともいう。）を有する化合物や重合体等を用いて、樹脂の分子内においてかかる置換基を介した架橋構造を形成させることによって、樹脂の架橋度を高めてもよい。
反応性の置換基としては、例えば、グリシジル基、カルボキシル基、カルボン酸金属塩、エステル基、ヒドロキシル基、アミノ基、カルボジイミド基、酸無水物基等の官能基等が挙げられ、特に、反応の速さの観点から、グリシジル基、酸無水物基、カルボジイミド基が好ましい。これらは、１種単独で用いてもよく、２種以上を組み合わせて用いてもよい。また、化合物や重合体等は、１分子中に複数種の官能基を有していてもよい。なお、反応性の置換基の樹脂への導入量は、架橋により樹脂にゲル化等が生じない程度とするのがよい。
【００５３】
（特性）
以下に、本実施形態のポリアミド系樹脂予備発泡粒子の特性について述べる。
本実施形態（例えば、上記［１］〜［１３］の形態等）において、ポリアミド系樹脂予備発泡粒子は、密度ρ１（ｇ／ｃｍ３）と、０．９ＭＰａの空気で加圧し（例えば、０．９ＭＰａで２４時間加圧し）、上記ポリアミド系樹脂予備発泡粒子の熱融着温度より５℃高い温度の飽和水蒸気を用いて３０秒間加熱した後の密度ρ２（ｇ／ｃｍ３）との割合（ρ１／ρ２）である膨張比が、１．０以上であること好ましく、より好ましくは１．１以上、さらに好ましくは１．２以上であり、２．０以下であってよい。
上記膨張比が１．０以上であれば、予備発泡粒子を金型に充填し、水蒸気で加熱して樹脂発泡成形体とした時に、十分な機械強度を持った樹脂発泡成形体を得ることができる。また、気泡の破膜に起因する収縮を抑え、耐熱性及び機械的強度に優れたポリアミド系樹脂発泡成形体を得ることができる。
なお、密度ρ１は、ρ２を測定する際の加圧加熱前のポリアミド系樹脂予備発泡粒子の密度としてよく、例えば、製造後に加圧加熱処理をしていないポリアミド系樹脂予備発泡粒子の密度としてよい。
上記膨張比は、例えば、熱安定剤の添加（例えば、上述の卑金属元素含有化合物の添加）、融点の差が上記好適範囲のポリアミド系樹脂の組み合わせの使用、結晶性ポリアミド樹脂の使用、含水率が０質量％以上１２質量％以下のポリアミド系樹脂予備発泡粒子の使用等により調整することができる。
熱融着温度、及び膨張比の測定方法については、実施例にて説明する。
また、熱融着温度より３℃高い温度の飽和水蒸気を用いた場合の膨張比は１．０以上であることが好ましく、２．０以下であってよい。また、熱融着温度の飽和水蒸気を用いた場合の上記膨張比は１．０以上であることが好ましく、２．０以下であってよい。
【００５４】
本実施形態（例えば、上記［１］〜［１３］の形態等）において、ポリアミド系樹脂予備発泡粒子は、密度ρ１（ｇ／ｃｍ３）と、０．９ＭＰａの空気で加圧した後、示差走査熱量計を用いて、下記の条件Ｂで測定される水中測定時の補外融解開始温度Ｂから１０℃高い温度の飽和水蒸気を用いて、３０秒間加熱した後の密度ρ３（ｇ／ｃｍ３）との割合（ρ１／ρ３）である膨張比Ｂが、１．０以上であること好ましく、より好ましくは１．１以上、さらに好ましくは１．２以上であり、２．０以下であってよい。
上記膨張比Ｂが１．０以上であれば、予備発泡粒子を金型に充填し、水蒸気で加熱して樹脂発泡成形体とした時に、十分な機械強度を持った樹脂発泡成形体を得ることができる。また、気泡の破膜に起因する収縮を抑え、耐熱性及び機械的強度に優れたポリアミド系樹脂発泡成形体を得ることができる。
なお、密度ρ１は、ρ３を測定する際の加圧加熱前のポリアミド系樹脂予備発泡粒子の密度としてよく、例えば、製造後に加圧加熱処理をしていないポリアミド系樹脂予備発泡粒子の密度としてよい。
上記膨張比Ｂは、例えば、熱安定剤の添加（例えば、上述の卑金属元素含有化合物の添加）、融点の差が上記好適範囲のポリアミド系樹脂の組み合わせの使用、結晶性ポリアミド樹脂の使用、含水率が０質量％以上１２質量％以下のポリアミド系樹脂予備発泡粒子の使用等により調整することができる。
補外融解開始温度Ｂ、及び膨張比Ｂの測定方法については、実施例にて説明する。
また、補外融解開始温度Ｂより８℃高い温度の飽和水蒸気を用いた場合の膨張比は１．０以上であることが好ましく、２．０以下であってよい。また、補外融解開始温度Ｂの飽和水蒸気を用いた場合の上記膨張比は１．０以上であることが好ましく、２．０以下であってよい。
【００５５】
本実施形態（例えば、上記［１］〜［１３］の形態等）において、ポリアミド系樹脂予備発泡粒子は、示差走査熱量計を用いて、昇温速度１０℃／分の条件下で３０℃から２８０℃まで昇温した際に得られるＤＳＣ曲線（条件Ａ）において、最大吸熱ピークのピーク温度が、１５０℃以上２５５℃以下であることが好ましく、より好ましくは１５０℃以上２１５℃以下、より好ましくは１５５℃以上２２０℃以下、さらに好ましくは１６０℃以上２００℃以下である。最大吸熱ピークのピーク温度が上記範囲にあると、飽和蒸気を用いた発泡成形が容易となり、実用上好ましい傾向がある。
また、本実施形態のポリアミド系樹脂予備発泡粒子は、上記ＤＳＣ曲線において、最大吸熱ピークのピーク温度より高温側における融解終了後のＤＳＣ曲線を近似した直線をベースラインとし、最大吸熱ピークのピーク温度より低温側の変曲点における接線と上記ベースラインとの交点の温度である補外融解開始温度と、最大吸熱ピークのピーク温度の高温側の変曲点における接線とベースラインとの交点の温度である補外融解終了温度との差に相当する最大吸熱ピークの幅が、２５℃以上８０℃以下であることが好ましく、より好ましくは２８℃以上７０℃以下、さらに好ましくは３５℃以上７０℃以下、特に好ましくは４０℃以上６５℃以下である。最大吸熱ピークの幅が上記範囲にあると、温度条件で発泡粒子間の融着力を強めつつ、予備発泡粒子の破泡による材料強度の低下を抑制でき、成形性が向上する傾向がある。
上記ポリアミド系樹脂予備発泡粒子は、最大吸熱の上記ピーク温度が上述の好適範囲であり、且つ最大吸熱ピークの上記幅が上述の範囲であることが好ましい。
【００５６】
なお、最大吸熱ピークとは、吸熱ピークが複数あった場合に、吸熱量が最大となるピークのことを意味する。
図１は、本実施形態のポリアミド系樹脂予備発泡粒子について、示差走査熱量計を用いて昇温速度１０℃／分の条件下で３０℃から２８０℃まで昇温した際に得られるＤＳＣ曲線の一例を示す図である。図１において、Ａは最大吸熱ピークのピーク温度より低温側のＤＳＣ曲線とベースラインとの交点、Ｂは最大吸熱ピークのピーク温度より高温側のＤＳＣ曲線とベースラインとの交点、Ｃは最大吸熱ピークの低温側の変曲点における接線とベースラインとの交点、Ｄは最大吸熱ピークの高温側の変曲点における接線とベースラインとの交点である。また、ＣＴは補外融解開始温度、ＤＴは補外融解終了温度、ＰＴは最大吸熱ピークのピーク温度である。最大吸熱ピークの幅は、ＤＴからＣＴを引いた値に相当する。
【００５７】
本実施形態（例えば、上記［１］〜［１３］の形態等）において、上記最大吸熱ピークのピーク温度を１５０℃以上２５５℃以下（好ましくは１５０℃以上２１５℃以下）とし、上記最大吸熱ピークの幅を２５℃以上８０℃以下（好ましくは２８℃以上７０℃以下）とするための方法としては、例えば、融点が異なる２種のポリアミド系樹脂を用いること（特に上述の好ましい態様で用いること）、ポリアミド系樹脂予備発泡粒子の含水率を調整すること（例えば後述の好適範囲にすること）等があげられる。
【００５８】
ポリアミド系樹脂予備発泡粒子の含水率を３質量％以上１５質量％以下になるように、あらかじめ含水処理を行うことにより、その後の熱融着工程において、発泡成形時の高温環境下でのポリアミド系樹脂組成物の粘度が低下し、成形品の融着性が向上し、機械強度、例えば曲げ破断強度が向上させることができる。これは、型内成形時の温度条件で、ポリアミド系樹脂発泡粒子内の気泡の体積増加によって膨張せしめ、ポリアミド系樹脂の粘度低下による異なる発泡粒子間の樹脂の相互拡散を促進せしめることによるものである。
【００５９】
ポリアミド系樹脂予備発泡粒子の含水率が１５質量％よりも大きいと、ポリアミド系樹脂予備発泡粒子内部の独立気泡内の凝縮水を生じ、型内発泡成形時の加熱の際には蒸発熱として吸熱作用を及ぼす。この粒子内部の凝縮水は、発泡粒子の外表面からの伝熱により加熱されるため、水蒸気の潜熱で直接加熱されるポリアミド系樹脂予備発泡粒子外部の表面付着水に比べると、ポリアミド系樹脂予備発泡粒子内部の加熱効率は悪く、このことは、型内発泡成形時のポリアミド系樹脂予備発泡粒子の昇温の妨げとなる。その結果、ポリアミド系樹脂予備発泡粒子が充分に発泡せず、膨張能不足から発泡粒子間の融着が進まず、発泡粒子界面での剥離が発生して十分な曲げ破断強度が得られない。このような観点から、ポリアミド系樹脂予備発泡粒子の含水率は１５％質量以下であることが好ましく、より好ましくは１２質量％以下である。
【００６０】
また、ポリアミド系樹脂予備発泡粒子の含水率を適宜調整することによって、成形品の発泡径のばらつきを抑制することができる。含水処理されたポリアミド系樹脂予備発泡粒子は、乾燥したポリアミド系樹脂発泡粒子でみられる分子鎖間の水素結合による相互作用を緩和するため、ガラス転移温度前後での貯蔵弾性率の変化が少なく、発泡成形における急激な温度変化に対しても均一な発泡挙動を示し、粒子径のばらつきが小さくなる。この粒子径のばらつきは、成形品内の空隙を生じる原因となるため、機械強度の低下を生じる。このような観点から、本実施形態（例えば、上記［１］〜［１３］の形態等）において、ポリアミド予備発泡粒子の含水率は、０質量％以上であることが好ましく、より好ましくは０質量％超、さらに好ましくは３質量％以上、さらに好ましくは４．５質量％以上、特に好ましくは６質量％以上である。
【００６１】
ポリアミド系樹脂予備発泡粒子の含水率は、ポリアミド系樹脂予備発泡粒子の質量（Ｗ０）、及びポリアミド系樹脂予備発泡粒子の表面付着水を除去した後の質量（Ｗ１）、ポリアミド予備発泡粒子を８０℃、６時間真空乾燥させた後の質量（Ｗ２）から算出する。含水率（質量％）は、（Ｗ１−Ｗ２）／Ｗ２×１００により算出する。
また、中空部又は凹外形部を有するポリアミド系樹脂予備発泡粒子の含水率を算出する際に、高圧のガスを用いることで、中空部や凹外形部に滞留した表面付着水を除去することができる。例えば、１００ｍ／秒以上の風速に調整された空気等を好適に使用することができる。
【００６２】
ポリアミド系樹脂予備発泡粒子の含水処理は、温水下で浸漬処理することにより含水量を調整することができる。含水処理は４０℃以上の温水であると含水速度が速く、効率よく含水させることができる。また、ガラス転移点以上での予備発泡粒子の変形を抑止できる観点から、７０℃以下で実施することが好ましい。また、ポリアミド系樹脂予備発泡粒子の含水時間は、内部の添加剤の溶出量を抑えられるという観点から、３０分以内であることが好ましく、１５分以内であるとさらに好ましい。また、ポリアミド系樹脂予備発泡粒子の含水時間は、均一に処理できるという観点から、１分以上であることが好ましい。
【００６３】
また、含水処理後のポリアミド系樹脂予備発泡粒子の表面付着水を除去するために、脱水機等を用いて処理することができる。脱水処理の回転速度は、１００ｒｐｍ以上の速度で実施するのが好ましく、処理時間が短縮できる観点から、５００ｒｐｍ以上であるとより好ましい。また、脱水処理の回転速度は、５００００ｒｐｍ以下であると好ましい。脱水処理の時間は生産性の観点から、１０分以内が好ましく、５分以内であるとより好ましい。また、脱水処理の時間は、均一性の観点から１分以上であることが好ましい。
【００６４】
ポリアミド系樹脂予備発泡粒子の表面付着水量は、ポリアミド系樹脂予備発泡粒子の質量（Ｗ０）、及びポリアミド系樹脂予備発泡粒子の表面付着水を除去した後の質量（Ｗ１）、ポリアミド系樹脂予備発泡粒子を８０℃、６時間真空乾燥させた後の質量（Ｗ２）から算出する。表面付着水量（質量％）は、（Ｗ０−Ｗ１）／Ｗ２×１００により算出する。
また、中空部又は凹外形部を有するポリアミド系樹脂予備発泡粒子の含水率を算出する際に、高圧のガスを用いることで、中空部や凹外形部に滞留した表面付着水を除去することができる。例えば、１００ｍ／秒以上の風速に調整された空気等を好適に使用することができる。
【００６５】
本実施形態（例えば、上記［１］〜［１３］の形態等）において、ポリアミド系樹脂予備発泡粒子の表面付着水量は、１４質量％以下であることが好ましい。そのため、ポリアミド系樹脂予備発泡粒子の表面付着水量は、１４質量％以下となるように除去することが好ましい。表面付着水の量が１４質量％以下であれば、型内発泡成形の原料充填時に表面付着水同士の相互作用による粒子間の凝集が発生しにくく、型内に予備発泡粒子が最密に充填され、疎な欠陥の少ない成形体となり、機械強度が向上する。このような観点から、ポリアミド系樹脂予備発泡粒子の表面付着水量は、より好ましくは１０質量％以下、さらに好ましくは７質量％以下である。
【００６６】
さらに、表面付着水量は、粒子内の含水量よりも少なく調整することで、ポリアミド予備発泡粒子に圧縮空気を導入する際の、導入量のばらつきを低減でき、成形品の機械強度が安定するという観点から好ましい。
【００６７】
ポリアミド系樹脂予備発泡粒子に含水処理を行う手法として、ポリアミド系樹脂予備発泡粒子を製造する際に、あらかじめポリアミド系樹脂組成物の含水率を調整しても良い。例えば、押出した溶融樹脂のペレタイズを高温の水中で行うことによって、発泡前のペレットの含水率を５質量％以上に調整した状態で発泡させることで、含水率の高いポリアミド系樹脂予備発泡粒子を得ることができる。このペレタイズ時の温度は４０℃以上が好ましく、５０℃以上であるとさらに好ましい。
【００６８】
上記のように、溶媒処理として、水を使用した例を説明したが、例えば溶媒処理の溶媒をエタノールとした際には、ポリアミド系樹脂予備発泡粒子のエタノール含有率を３質量％以上１５質量％以下になるように、あらかじめ処理を行うことが好ましい。
【００６９】
含エタノール処理を行った場合のポリアミド系樹脂予備発泡粒子の含エタノール量及び含水量の測定は、ポリアミド系樹脂予備発泡粒子から表面付着水及び表面付着エタノールを除去した後、ＴＨＦを加えて測定試料を調製する。ＧＣ−ＭＳ−ＳＩＭ（Ｓｅｌｅｃｔｅｄ  Ｉｏｎ  Ｍｏｎｉｔｏｒｉｎｇ）法を用いて水、エタノールをそれぞれ定量し、それぞれの定量値（％）であるＷ（水）、Ｗ（ＥｔＯＨ）から、含水率＝Ｗ（水）／（１００−Ｗ（水）−Ｗ（ＥｔＯＨ））×１００、含エタノール率＝Ｗ（ＥｔＯＨ）／（１００−Ｗ（水）−Ｗ（ＥｔＯＨ））×１００により算出する。
【００７０】
本実施形態（例えば、上記［１］〜［１３］の形態等）において、ポリアミド系樹脂予備発泡粒子の数平均分子量Ｍｎは、発泡成形時の高温環境下でのポリアミド系樹脂組成物の粘度が低下し、発泡粒子間の樹脂の相互拡散を促進せしめ、成形品の融着性が向上し、機械強度を向上させる観点から、３５０００以下であることが好ましく、発泡成形時の高温環境下でも高分子鎖の３次元ネットワークを保持し、気泡の膜の強度を上げ、破泡を抑える観点から、１００００以上であることが好ましい。より好ましくは１５０００〜３００００、さらに好ましくは１６０００〜２６０００である。また、ポリアミド系樹脂予備発泡粒子の重量平均分子量Ｍｗは、発泡成形時の高温環境下でのポリアミド系樹脂組成物の粘度が低下し、発泡粒子間の樹脂の相互拡散を促進せしめ、成形品の融着性が向上し、機械強度を向上させる観点から、１４００００以下であることが好ましく、発泡成形時の高温環境下でも高分子鎖の３次元ネットワークを保持し、気泡の膜の強度を上げ、破泡を抑える観点から、３５０００以上であることが好ましい。より好ましくは４００００〜１２５０００、さらに好ましくは６５０００〜１２００００である。
なお、数平均分子量Ｍｎ、重量平均分子量Ｍｗは、後述の実施例に記載の方法により測定することができる。
【００７１】
本実施形態（例えば、上記［１］〜［１３］の形態等）において、ポリアミド系樹脂予備発泡粒子は、示差走査熱量計を用いて、下記の条件Ｂで測定される２ｎｄ  ｓｃａｎ  ＤＳＣ曲線において、最大吸熱ピークより高温側における融解終了後のＤＳＣ曲線を近似した直線をベースラインとし、最大吸熱ピークより低温側の変曲点における接線と上記ベースラインとの交点の温度である補外融解開始温度から１０℃高い温度における結晶融解率が、１５％以上であることが好ましく、より好ましくは２０％以上、さらに好ましくは２０〜４０％、特に好ましくは２０〜３５％である。結晶融解率が上記範囲であると、発泡成形時の高温環境下でのポリアミド系樹脂組成物の粘度が低下し、発泡粒子間の樹脂の相互拡散を促進せしめ、成形品の融着性が向上し、機械強度を向上させることができる。
条件Ｂ
ポリアミド系樹脂予備発泡粒子を、純水中に埋没させた状態でアルミニウム製密閉耐圧容器に密封し、示唆走査熱量計（ＤＳＣ）により昇温速度１０℃／分で加熱して融解させ、次いで、冷却速度１０℃／分で冷却して固化されたポリアミド系樹脂予備発泡粒子を、再度、示唆走査熱量計（ＤＳＣ）で１０℃／分で加熱して融解させた際に得られるＤＳＣ曲線を２ｎｄ  ｓｃａｎ  ＤＳＣ曲線とする。
なお、結晶融解率は後述の実施例に記載の方法により測定することができる。
【００７２】
本実施形態（例えば、上記［１］〜［１３］の形態等）において、ポリアミド系樹脂予備発泡粒子は、上記ポリアミド系樹脂予備発泡粒子の熱融着温度より５℃高い温度の飽和水蒸気を用いて加熱した後の独立気泡率が、６０％以上であることが好ましくより好ましくは７０％以上、さらに好ましくは８０％以上である。
上記独立気泡率が６０％以上であれば、予備発泡粒子を金型に充填し、水蒸気で加熱して樹脂発泡成形体とした時に、十分な機械強度を持った樹脂発泡成形体を得ることができる。また、気泡の破膜に起因する収縮を抑え、耐熱性及び機械的強度に優れたポリアミド系樹脂発泡成形体を得ることができる。
上記独立気泡率は、例えば、熱安定剤の添加（例えば、上述の卑金属元素含有化合物の添加）、融点の差が上記好適範囲のポリアミド系樹脂の組み合わせの使用、結晶性ポリアミド樹脂の使用、等により調整することができる。
独立気泡率の測定方法については、実施例にて説明する。
【００７３】
（製造方法）
本実施形態のポリアミド系樹脂予備発泡粒子は、上記ポリアミド系樹脂を含むポリアミド系樹脂組成物に発泡剤を含有（含浸）させて、発泡を生じさせることによって得ることができる。
ポリアミド系樹脂組成物に発泡剤を含有（含浸）させる方法としては、特に限定されることなく、一般的に用いられている方法としてよい。
【００７４】
かかる方法としては、水等の懸濁系で水性媒体を用いて行う方法（懸濁含浸）や、重炭酸ナトリウム等の熱分解型発泡剤を用いる方法（発泡剤分解）、ガスを臨界圧力以上の雰囲気とし液相状態にして、基材樹脂に接触させる方法（液相含浸）、ガスを臨界圧力未満の雰囲気とし気相状態にして、基材樹脂に接触させる方法（気相含浸）等が挙げられる。
上記方法のうち、特に、気相含浸が好ましい。
【００７５】
気相含浸では、高温条件下で実施される懸濁含浸の場合と比較して、ガスの樹脂への溶解度がより高く、発泡剤の含有量を高くしやすい。そのため、気相含浸では、高発泡倍率を達成しやすく、樹脂内の気泡サイズも均一になりやすい。
また、発泡剤分解も、懸濁含浸と同様に高温条件下で実施される点で不都合がある。また、この方法では、加えた熱分解型発泡剤全てがガスになるわけではないため、ガス発生量が相対的に少なくなりやすい。そのため、気相含浸では、発泡剤分解に比べ、発泡剤含有量を高くしやすいという利点がある。
更に、気相含浸では、液相含浸の場合と比較して、耐圧装置や冷却装置等の設備がよりコンパクトになりやすく、設備費を低減しやすい。
【００７６】
気相含浸の条件としては、特には限定されることなく、例えば、ガスの樹脂への溶解をより効率的に進める観点から、雰囲気圧力としては、０．５〜６．０ＭＰａであることが好ましく、雰囲気温度としては、５〜３０℃であることが好ましい。
【００７７】
ここで、本実施形態のポリアミド系樹脂予備発泡粒子を製造する際に使用される発泡剤としては、特に限定されることなく、空気やガスとし得る化合物等が挙げられる。
ガスとし得る化合物の例としては、二酸化炭素、窒素、酸素、水素、アルゴン、ヘリウム、ネオン等の無機化合物；トリクロロフルオロメタン（Ｒ１１）、ジクロロジフルオロメタン（Ｒ１２）、クロロジフルオロメタン（Ｒ２２）、テトラクロロジフルオロエタン（Ｒ１１２）ジクロロフルオロエタン（Ｒ１４１ｂ）クロロジフルオロエタン（Ｒ１４２ｂ）、ジフルオロエタン（Ｒ１５２ａ）、ＨＦＣ−２４５ｆａ、ＨＦＣ−２３６ｅａ、ＨＦＣ−２４５ｃａ、ＨＦＣ−２２５ｃａ等のフルオロカーボン；ＨＦＯ−１２３４ｙ、ＨＦＯ−１２３４ｚｅ（Ｅ）等のハイドロフルオロオレフィン；プロパン、ｎ−ブタン、ｉ−ブタン、ｎ−ペンタン、ｉ−ペンタン、ネオペンタン等の飽和炭化水素；ジメチルエーテル、ジエチルエーテル、メチルエチルエーテル、イソプロピルエーテル、ｎ−ブチルエーテル、ジイソプロピルエーテル、フラン、フルフラール、２−メチルフラン、テトラヒドロフラン、テトラヒドロピラン等のエーテル類；塩化メチル、塩化エチル等の塩素化炭化水素類；メタノール、エタノール等のアルコール類；等が挙げられる。
これらの空気やガスとし得る化合物は、１種単独で用いてもよく、２種以上を組み合わせて用いてもよい。
【００７８】
発泡剤としては、環境への影響が少なく、可燃性や支燃性がないものが好ましく、取り扱い時の安全性の観点から、可燃性のない無機化合物が更に好ましく、ポリアミド系樹脂への溶解性、取り扱いの容易性の観点から、二酸化炭素ガス（炭酸ガス）特に好ましい。
【００７９】
発泡剤を含有（含浸）させたポリアミド系樹脂組成物に発泡を生じさせる方法としては、特に限定されないが、例えば、発泡剤を含浸させたポリアミド系樹脂組成物を高圧雰囲気下から低圧雰囲気下に一気に持ち込むことによって、ポリアミド系樹脂組成物中に溶解している発泡剤としてのガスを膨張させて、発泡を生じさせる方法や、圧力蒸気等を用いて加熱することによって、ポリアミド系樹脂組成物中のガスを膨張させて、発泡を生じさせる方法等を用いることができ、特に、生成物であるポリアミド系樹脂発泡成形体内部の気泡の大きさ（セルサイズ）を均一にするという利点、及び発泡倍率を制御して低発泡倍率のポリアミド系樹脂発泡成形体の作製を容易にするという利点が得られるため、後者の加熱・発泡を行う方法を用いることが好ましい。
【００８０】
ここで、予備発泡粒子を所望の発泡倍率になるまで発泡させる際、一段階の発泡を行ってもよく、二次発泡、三次発泡等からなる多段階の発泡を行ってもよい。なお、多段階の発泡を行った場合、高発泡倍率の予備発泡粒子を調製しやすく、成形に用いられる予備発泡粒子は、単位体積当たりに使用される樹脂量を低減する観点から、三次発泡まで行った予備発泡粒子であることが好ましい。
【００８１】
特に、多段階の発泡の場合、各段階での発泡前に予備発泡粒子に対してガスによる加圧処理を行うことが好ましい。加圧処理に用いるガスとしては、ポリアミド系樹脂に対して不活性である限り、特には限定されないが、ガスの安全性が高く、ガスの地球温暖化係数の小さい、無機ガスやハイドロフルオロオレフィンが好ましい。無機ガスとしては、例えば、空気、炭酸ガス、窒素ガス、酸素ガス、アンモニアガス、水素ガス、アルゴンガス、ヘリウムガス、ネオンガス等が挙げられ、また、ハイドロフルオロオレフィンとしては、例えば、ＨＦＯ−１２３４ｙ、ＨＦＯ−１２３４ｚｅ（Ｅ）等が挙げられ、特に、取り扱い容易性及び経済性の観点から、空気や炭酸ガスが好ましい。加圧処理の手法としては、特には限定されないが、予備発泡粒子を加圧タンク内に充填し、該タンク内にガスを供給する手法等が挙げられる。
【００８２】
［ポリアミド系樹脂発泡成形体］
本実施形態のポリアミド系樹脂発泡成形体について説明する。
本実施形態のポリアミド系樹脂発泡成形体は、上述の本実施形態のポリアミド系樹脂予備発泡粒子を含むことが好ましく、本実施形態のポリアミド系樹脂予備発泡粒子のみからなることがより好ましい。本実施形態のポリアミド系樹脂発泡成形体内において、ポリアミド系樹脂予備発泡粒子は少なくとも一部が互いに融着していることが好ましい。
【００８３】
本実施形態のポリアミド系樹脂発泡成形体は、上述の本実施形態のポリアミド系樹脂予備発泡粒子から製造することができ、ポリアミド系樹脂予備発泡粒子を加熱融着させることにより、任意の立体形状に成形することができる。
ポリアミド系樹脂予備発泡粒子を成形する方法としては、例えば、予備発泡粒子を成形用金型のキャビティ内に充填し、加熱することによって、発泡を生じさせると同時に予備発泡粒子同士を熱融着させた後、冷却により固化し、成形する方法が挙げられる。ポリアミド系樹脂予備発泡粒子を閉鎖した金型内に充填、発泡させて得るが、密閉し得ない金型内に充填して加熱し、予備発泡粒子相互を融着させる方法を採用してもよい。樹脂種と成形条件によっては汎用の型内発泡自動成形機を使用することができる。
ここで、予備発泡粒子の充填方法は、特には限定されないが、例えば、金型を多少開けた状態で予備発泡粒子を充填するクラッキング法、金型を閉じたままの状態で加圧圧縮した予備発泡粒子を充填する圧縮法、金型に加圧圧縮した予備発泡粒子を充填した後に上記クラッキング法を行う圧縮クラッキング法等が挙げられる。
【００８４】
本実施形態のポリアミド系樹脂発泡成形体の製造方法は、上記ポリアミド系樹脂予備発泡粒子を金型のキャビティ内に充填し、上記キャビティ内に上記ポリアミド系樹脂予備発泡粒子の融点以下の水蒸気を供給して、上記ポリアミド系樹脂予備発泡粒子を膨張させ、且つ熱融着させる工程を含むことが好ましい。
ポリアミド系樹脂発泡成形体の製造方法では、予備発泡粒子の気泡に一定のガス圧力を付与して、粒子内部の気泡の大きさ（セルサイズ）を均一にする観点から、予備発泡粒子を成形用金型のキャビティ内に充填する前に、予備発泡粒子に対してガスによる加圧処理を行うことが好ましい。加圧処理に用いるガスとしては、特には限定されないが、難燃性、耐熱性、寸法安定性の観点から、無機ガスを用いるのが好ましい。無機ガス及び加圧処理の方法については、上述のポリアミド系樹脂に発泡を生じさせる方法において発泡前の予備発泡粒子に対して施されるガスによる加圧処理の場合と同様である。
【００８５】
ポリアミド系樹脂予備発泡粒子を成形する際に用いられる熱媒体は、汎用の熱媒体としてよく、発泡成形体の酸化劣化を抑制する観点から、飽和水蒸気や過熱水蒸気であることが好ましく、発泡成形体に対して均一な加熱を可能にする観点から、飽和水蒸気が更に好ましい。
上記飽和水蒸気の温度は、上記ポリアミド系樹脂予備発泡粒子の融点以下であることが好ましい。具体的には、上記ポリアミド系樹脂予備発泡粒子の融点の１０℃以下、より好ましくは２５℃以下、さらに好ましくは４０℃以下である。
【００８６】
ポリアミド系樹脂予備発泡粒子の加熱温度（成形温度）が１００℃以上２７０℃以下であれば、粒子間の融着が進むため好ましく、より好ましくは１０５℃以上２００℃以下であり、さらに好ましくは１０５℃以上１６０℃以下である。
【００８７】
上記製造方法では、予備発泡粒子の気泡に一定のガス圧力を付与して、粒子内部の気泡の大きさ（セルサイズ）を均一にする観点から、予備発泡粒子を成形用金型のキャビティ内に充填する前に、予備発泡粒子に対してガスによる加圧処理を行うことが好ましい。加圧処理の方法については、特には限定されることなく、例えば、予備発泡粒子へのガスの加圧処理を効率的に進める観点から、雰囲気圧力としては、０．３〜６．０ＭＰａであることが好ましく、雰囲気温度としては、５〜５０℃であることが好ましい。
【００８８】
加圧処理に用いるガスとしては、上述のポリアミド系樹脂予備発泡粒子を製造する際に使用される発泡剤と同様のガスが挙げられる。中でも、難燃性、耐熱性、寸法安定性の観点から、無機化合物のガスを用いるのが好ましい。上記ガスは、１種単独で用いてもよく、２種以上を組み合わせて用いてもよい。
加圧処理に用いる上記ガスは、ポリアミド系樹脂予備発泡粒子を製造する際に使用される発泡剤と同じガスであってもよいし異なるガスであってもよい。
【００８９】
ポリアミド予備発泡粒子を成形する際に用いられる熱媒体は、汎用の熱媒体としてよく、発泡成形体の酸化劣化を抑制する観点から、飽和水蒸気や過熱水蒸気であることが好ましく、発泡成形体に対して均一な加熱を可能にする観点から、飽和水蒸気が更に好ましい。
熱媒体として飽和水蒸気を用いる場合、成形温度を１００℃以上として、成形温度−５℃以下の温度の飽和水蒸気によって１秒以上１０秒以下加熱（予熱）した後、成形温度の飽和水蒸気によって加熱融着させることが好ましい。
上記予熱に用いる飽和水蒸気の温度は、成形温度−５℃以下であることが好ましく、より好ましくは成形温度−６℃以下、さらに好ましくは成形温度−７℃以下である。また、上記飽和水蒸気の温度は、成形温度−１５℃以上であることが好ましく、より好ましくは成形温度−１４℃以上、さらに好ましくは成形温度−１３℃以上である。上記の温度範囲であると、ポリアミド予備発泡粒子の膨張と融着を抑制しつつ、ポリアミド予備発泡粒子中へ水分を拡散させることができる傾向にある。
また、上記予熱に用いる飽和水蒸気での加熱時間は、１秒以上１０秒以下であることが好ましく、より好ましくは１秒以上５秒以下、さらに好ましくは１秒以上３秒以下である。従来、ポリアミド予備発泡粒子を成形温度近くまで予熱する工程により成形に要する総時間が延長し、生産性が低下することが問題となっていたが、加熱時間が上記範囲であると、当該問題を実用上許容できる範囲でポリアミド予備発泡粒子中へ水分を拡散させることができ、成形温度での融着性が向上する傾向にある。
【００９０】
本実施形態のポリアミド発泡成形体の製造方法としては、含水量が０質量％以上１２質量％以下のポリアミド予備発泡粒子を、型内に充填し、成形温度を１００℃以上として、成形温度−５℃以下の温度の飽和水蒸気によって１５秒以上加熱した後、上述の成形温度の飽和水蒸気によって加熱融着させてもよい。
上記製造方法を用いることにより、成形時のポリアミド予備発泡粒子間の融着性が改善し、機械強度に優れたポリアミド発泡成形体を製造することができる。
【００９１】
また、ポリアミド予備発泡粒子は、成形用金型のキャビティ内に充填する前に溶媒処理を行ってもよい。溶媒処理に用いる溶媒、溶媒処理方法等は、上述と同様とすることができる。
更に、ポリアミド予備発泡粒子は、成形用金型のキャビティ内に充填する前にガスによる加圧処理を行うことが好ましい。加圧処理の方法、加圧処理に用いるガス等は、上述と同様とすることができる。
【００９２】
本実施形態のポリアミド発泡成形体の製造方法としては、ポリアミド予備発泡粒子を、成形温度の飽和水蒸気によって加熱する前に、成形温度−５℃以下の温度の飽和水蒸気によって１５秒以上加熱（予熱）してもよい。
上記予熱に用いる飽和水蒸気での加熱時間は、１５秒以上であることが好ましく、より好ましくは１５〜１２０秒、さらに好ましくは３０〜９０秒である。従来、ポリアミド予備発泡粒子を成形温度近くまで予熱する工程により成形に要する総時間が延長し、生産性が低下することが問題となっていたが、加熱時間が上記範囲であると、当該問題を実用上許容できる範囲でポリアミド予備発泡粒子中へ水分を拡散させることができ、成形温度での融着性が向上する傾向にある。
【００９３】
本実施形態のポリアミド系樹脂発泡成形体の密度は、０．０２〜０．８ｇ／ｃｍ３であることが好ましい。密度が０．０２ｇ／ｃｍ３以上であることにより、気泡径を均一に保つことで、気泡膜の厚みが過度に薄くなることを防ぎ、気泡膜の強度を保持することができる。また、０．８ｇ／ｃｍ３以下であることにより、樹脂発泡成形体の軽量性を高めることができる。
【００９４】
本実施形態のポリアミド系樹脂発泡成形体の独立気泡率としては、７５％以上であることが好ましい。独立気泡率が７５％以上であることにより、発泡体の強度を高く維持することと、発泡体の断熱性を高めることができる。
上記独立気泡率は、後述の実施例に記載の方法により測定することができる。
【００９５】
本実施形態のポリアミド系樹脂発泡成形体の加熱による寸法変化率は、１．５％以下であることが好ましく、１．０％以下であることが更に好ましい。中でも、１５０℃で２２時間加熱した後の寸法変化率が上記範囲であることが好ましく、１５０℃で２２時間加熱した後の寸法変化率、及び１７０℃で２２時間過熱した後の寸法変化率が何れも上記範囲であることがより好ましい。
なお、寸法変化率は、ＪＩＳ  Ｋ６７６７の寸法安定性評価・Ｂ法に準拠して、所定温度で２２時間加熱した後に測定した値を指す。
【実施例】
【００９６】
以下、本発明を具体的な実施例及び比較例を挙げて説明するが、本発明はこれらに限定されるものではない。【００９７】
後述する実施例及び比較例のポリアミド予備発泡粒子、ポリアミド発泡成形体の物性の測定方法を以下に示す。【００９８】
（１）卑金属元素、ヨウ素元素の含有量
ポリアミド系樹脂組成物中の卑金属元素とヨウ素元素の含有量は、次のようにして測定した。
まず、ポリアミド系樹脂組成物中の卑金属元素を同定するため、ポリアミド系樹脂組成物を３０ｍｍ四方に切り出し、蛍光Ｘ線分析装置（製品名：Ｒｉｇａｋｕ  ＺＳＸ１００ｅ、（株）リガク社製、管球：Ｒｈ）で測定した。ポリアミド系樹脂組成物がシート状であったり、平面を持つ発泡成形体であったりする場合には、そのまま切り出して測定することができるが、ポリアミド系樹脂組成物がペレットや発泡粒子の場合には、ポリアミド系樹脂組成物を融点（後述）より３０℃高い温度に加熱された熱板の間に挟み、３分間加熱加圧し、ポリアミド系樹脂組成物のシートを得て、これを冷却固化させたのち、これを３０ｍｍ四方に切り出して測定した。次に、蛍光Ｘ線分析で検出された元素について、各卑金属元素の含有量を、誘導結合プラズマ発光分光分析法（ＩＣＰ−ＡＥＳ）によって測定した。
まず、試料を精秤し、これを硫酸と過酸化水素水を用いて加熱分解し、これをＩＣＰ−ＡＥＳ（商品名：ｉＣＡＰ６３００Ｄｕｏ、サーモフィッシャーサイエンティフィック社製）に導入して、測定した。サンプルの発光強度を、前もって用意してあった検量線と比較することにより、系内に存在する対象元素の濃度を見積もり、秤量しておいた試料の重量とから、試料の中に含まれる対象元素の質量濃度を測定した。また、試料中のポリアミド系樹脂濃度から、ポリアミド系樹脂１００質量％中の卑金属元素の質量割合を算出した。
測定波長は、蛍光Ｘ線で検出された元素について、適当なものを選択した。例えば、銅元素が検出された場合には、３２４．７５４ｎｍ、鉄元素が検出された場合には、２５９．９４０ｎｍ、亜鉛元素が検出された場合には、２１３．８５６ｎｍを用いた。
ヨウ素元素の質量は、ＪＩＳ  Ｋ０１２７：２０１３に準拠して、イオンクロマトグラフ法によって測定した。試料を酸素フラスコ燃焼法によって燃焼分解し、発生ガスを吸収液に吸収させ、イオンクロマトグラフ分析装置（商品名：ＩＣＳ−１５００、サーモフィッシャーサイエンティフィック社製）に導入して測定した。
そして、ポリアミド系樹脂１００質量％に対する各元素の含有量（質量ｐｐｍ）を算出した。【００９９】
（２）卑金属元素に対するヨウ素元素のモル割合
卑金属元素のモル濃度［Ｍ］は、上述の蛍光Ｘ線で検出された全ての卑金属元素について、ＩＣＰ−ＡＥＳで測定した質量濃度を、その元素の原子量で除した後、合計することにより算出した。
また、ヨウ素元素のモル濃度［Ｉ］は、上述の（１）の方法で測定したヨウ素元素の質量濃度を、ヨウ素の原子量で除することにより算出した。そして、［Ｉ］／［Ｍ］により、卑金属元素に対するヨウ素元素のモル割合を算出した。【０１００】
（３）密度
ポリアミド系樹脂発泡成形体について、質量Ｗ（ｇ）を測定し、その後、水没法により、ポリアミド系樹脂発泡成形体の見かけの体積Ｖａ（ｃｍ３）を測定した。そして、その質量Ｗを見かけの体積Ｖａで除した値Ｗ／Ｖａ（ｇ／ｃｍ３）を、ポリアミド系樹脂発泡成形体の密度とした。【０１０１】
（４）独立気泡率
上述の（３）において見かけの体積Ｖａを測定したポリアミド系樹脂発泡成形体について、その真の体積（Ｖｘ）を空気比較式比重計（ベックマン（株）社製）を用いて測定した。そして、下記の式１に従って、独立気泡率Ｓ（％）を算出した。
Ｓ（％）＝｛（Ｖｘ−Ｗ／ρ）／（Ｖａ−Ｗ／ρ）｝×１００  ・・・式１
式中、Ｖｘは樹脂発泡成形体の真の体積（ｃｍ３）であり、Ｖａは樹脂発泡成形体の見かけの体積（ｃｍ３）であり、Ｗは樹脂発泡成形体の質量（ｇ）であり、ρは樹脂発泡成形体の基材樹脂の密度（ｇ／ｃｍ３）である。【０１０２】
（５）膨張比及び膨張比Ｂ
得られたポリアミド系樹脂予備発泡粒子をオートクレーブ中に封入し、オートクレーブを４０℃の温水に浸した状態で、オートクレーブ内の圧力が０．９ＭＰaとなるまで圧縮空気を４時間かけて導入し、その後、圧力を０．９ＭＰaに２４時間保持することによって予備発泡粒子に加圧処理を施した。その後、オートクレーブ内の圧力を開放して加圧処理された予備発泡粒子を取り出し、金属メッシュの皿状の容器に入れた。次いで、圧力容器に入れ、圧力容器内に所定温度になるまで飽和水蒸気を導入して、所定温度まで２０秒間かけて昇温した。飽和水蒸気の温度調整は、１９８℃（１．４ＭＰａ）の飽和水蒸気を使用し、バルブの開度を調整して行った。その後、該所定温度で１０秒保持することで予備発泡粒子を膨張させた。そして、加熱後の予備発泡粒子を、６０℃の乾燥機を用いて２４時間乾燥させて、上述の（３）の方法に従って密度ρ２、ρ３を測定した。そして、ρ２で加圧処理前の予備発泡粒子の密度ρ１を除した値ρ１／ρ２を、予備発泡粒子の膨張比とし、ρ３でρ１を除した値ρ１／ρ３を予備発泡粒子の膨張比Ｂとした。【０１０３】
（６）熱融着温度
得られたポリアミド系樹脂予備発泡粒子を、気泡内部の圧力が大気圧であり、炭化水素や炭酸ガス等の発泡剤を含んでいない状態にした。この予備発泡粒子１０ｇを金属メッシュの容器に予備発泡粒子同士が接着するように入れ、次いで、圧力容器に入れ、圧力容器内に所定温度になるまで２０秒かけて所定温度の飽和水蒸気を導入し、その後、該所定温度で１０秒保持することで予備発泡粒子を加熱した。所定温度として、１．５℃刻みの相異なる温度を用い、１つの温度につき３回測定した。そして、加熱後に、３回中３回すべてにおいて、少なくとも一部の予備発泡粒子同士が融着した温度（℃）を予備発泡粒子の熱融着温度とした。
なお、少なくとも一部の予備発泡粒子同士が融着した状態は、次の方法で決定した。ＪＩＳ  Ｚ８８０１で規定される呼び寸法が、予備発泡粒子の粒子径以上、予備発泡粒子の粒子径の二倍未満である標準ふるい（例えば、予備発泡粒子の粒子径が２．５ｍｍであった場合には、ｄ＝３．３５ｍｍの標準ふるい）を用いて、加熱する前の予備発泡粒子の分級を行い、ふるいを通過せずにふるいの上にとまった粒子の重量割合をＸｉとした。次いで、Ｘｉを求めたのと同様のふるいを用いて、加熱後の予備発泡粒子の分級を行い、ふるいを通過せずにふるいの上にとまった粒子の重量割合をＸｅとした。このとき、Ｘｅ＞Ｘｉであるとき、少なくとも一部の予備発泡粒子同士が融着した状態とした。【０１０４】
（７）水中測定時の補外融解開始温度
以下に示す測定条件（条件Ｂ）で測定された２ｎｄ  ｓｃａｎ  ＤＳＣ曲線において、最大吸熱ピークより高温側における融解終了後のＤＳＣ曲線を近似した直線をベースラインとし、最大吸熱ピークの低温側の変曲点における接線とベースラインとの交点の温度を水中測定時の補外融解開始温度とした。
（測定サンプル調製）
ポリアミド系樹脂予備発泡粒子を、精密ニッパー（ホーザン、Ｎ−５５）を用いて、約１ｍｍ角の大きさに細断し、あらかじめ風袋重量を測定したアルミニウム製密閉容器（日立ハイテクサイエンス、ＧＣＡ−００１７）に加えた。次いで、密閉容器及び細断したポリアミド系樹脂予備発泡粒子約１０ｍｇを、精密天秤（パーキンエルマー、ＡＤ６０００）に乗せ、重量を記録し、ポリアミド系樹脂予備発泡粒子の重量を精秤した。次いで、同サンプルパンに純水をパスツールピペットでサンプルパンに対してすり切り加え、細断したポリアミド系樹脂予備発泡粒子を純水に埋没させた。密閉容器に蓋を被せ、手動サンプルシーラー（日立ハイテクサイエンス、Ｋ−Ｗ１０１００７２４）で、密閉した。同密閉容器を１２時間以上静置後、精密天秤（エー・アンド・デイ、ＢＭ−２０）で重量を測定し、調製時のサンプル重量及び容器の風袋重量より、静置後に残存した水の重量を計算し、水が３ｍｇ以上残存した同密閉容器を選択し、測定サンプルとした。
（ＤＳＣ測定）
測定サンプル、及び水を１２ｍｇ封入したリファレンスサンプルを、ＤＳＣ（ＮＥＴＳＺＣＨ社製「ＤＳＣ３５００」）にセットし、２０ｍＬ／ｍｉｎの窒素気流雰囲気下、昇温速度１０℃／分で４０℃から２００℃に昇温し、次いで２００℃で１分間保持した後、１０℃／分で４０℃まで冷却し、４０℃で５分間保持した後、再度、昇温速度１０℃／分で、２００℃まで昇温し、その熱量変化を測定することで２ｎｄ  ｓｃａｎ  ＤＳＣ曲線を得た。
（データ解析）
ＤＳＣ測定終了後の測定サンプルについて、ただちに精密天秤（エー・アンド・デイ、ＢＭ−２０）を用いて重量を測定した。調製時のサンプル重量、パン風袋重量より、測定終了後に残存した水の重量を計算し、水が３ｍｇ以上残存した測定結果を解析に用いた。縦軸を熱流（ｍＷ／ｍｇ）、横軸を温度（℃）として得られた２ｎｄ  ｓｃａｎ  ＤＳＣにおいて、最大吸熱ピークより高温側における融解終了後のＤＳＣ曲線を近似した直線をベースラインとし、最大吸熱ピークの低温側の変曲点における接線とベースラインとの交点の温度を水中測定時の補外融解開始温度とした。これらの解析を少なくともＮ＝４で実施し、得られた補外融解開始温度を算出して、±１０％以上の乖離を含む解析結果を除外し、少なくともＮ＝３の結果を含む平均値を再度計算した。この再計算した平均値を、そのポリアミド系樹脂予備発泡粒子の水中測定時の補外融解開始温度とした。【０１０５】
（８）融点
ポリアミド系樹脂の融点の測定を、ＪＩＳ  Ｋ７１２１に準じて、示差走査熱量計（商品名：ＤＳＣ７、パーキンエルマー社製）を用いて、行った。試料８ｍｇを精秤し、これを測定に用いた。測定条件は、窒素雰囲気下、温度条件：３００℃で５分間保持、その後、降温速度：２０℃／分で５０℃まで降温、次いで、昇温速度：２０℃／分で５０℃から３００℃まで昇温した。そして、現れた吸熱を示すピークのトップを与える温度（℃）を、樹脂の融点とした。ポリアミド系樹脂組成物、ポリアミド系樹脂予備発泡粒子の融点も同様の方法で測定した。【０１０６】
（９）示差走査熱量計（ＤＳＣ）を用いたポリアミド予備発泡粒子の最大吸熱ピークの測定
（条件Ａ）
示差走査熱量計（ＤＳＣ）（ＮＥＴＺＳＣＨ社製「ＤＳＣ３５００」）を用いて、ポリアミド系樹脂予備発泡粒子の最大吸熱ピークのピーク温度及び幅を測定した。ポリアミド系樹脂予備発泡粒子の表面付着水及び／又は表面付着エタノールを除去した後、ポリアミド系樹脂予備発泡粒子をアルミニウム製密閉容器（日立ハイテクサイエンス、ＧＣＡ−００１７）に充填し、５０ｍＬ／分の窒素気流中で測定した。具体的には、ポリアミド系樹脂予備発泡粒子を１０℃／分にて３０℃から２８０℃に昇温し、その熱量変化を測定することでＤＳＣ曲線を得た。
得られたＤＳＣ曲線において、測定開始からの最大の吸熱量を示す最大吸熱ピークのピークトップの温度（℃）を計測した。また、ＤＳＣ曲線において、最大吸熱ピークより高温側における融解終了後のＤＳＣ曲線を近似した直線をベースラインとし、最大吸熱ピークの低温側の変曲点における接線とベースラインとの交点の温度である補外融解開始温度と、最大吸熱ピークの高温側の変曲点における接線とベースラインとの交点の温度である補外融解終了温度との差に相当する最大吸熱ピークの幅（℃）を求めた。【０１０７】
（１０）含水率
ポリアミド系樹脂予備発泡粒子を秤量（Ｗ０）した後、乾燥した繊維シート（キムタオル  日本製紙）に粒子を広げ別の繊維シートで表面付着水を除去した後、秤量（Ｗ１）する。このポリアミド系樹脂予備発泡粒子を８０℃、６時間真空乾燥させたのち、再度秤量（Ｗ２）して、それぞれ含水率（％）＝（Ｗ１−Ｗ２）／Ｗ２×１００と表面付着水（％）＝（Ｗ０−Ｗ１）／Ｗ２×１００を算出した。【０１０８】
（１１）数平均分子量Ｍｎ、重量平均分子量Ｍｗ
ポリアミド系樹脂の数平均分子量Ｍｎ、重量平均分子量Ｍｗの測定を、次のようにして行った。試料をヘキサフルオロイソプロパノール（＋１０ｍｍоｌ／Ｌ  トリフルオロ酢酸ナトリウム）に溶解させ、０．２ｗ／ｖ％の試料溶液を作成した。この試料溶液をメンブレンフィルター（０．２μｍ）で濾過した後、１０μＬをＧＰＣ（昭光サイエンティフィック株式会社製、Ｓｈｏｄｅｘ  ＧＰＣ−１０４）に注入し、流出した溶液をＲＩ検出器で検出した。流出条件は、溶離液：ヘキサフルオロイソプロパノール（＋１０ｍｍоｌ／Ｌ  トリフルオロ酢酸ナトリウム）、カラム：Ｓｈｏｄｅｘ  ＧＰＣ  ＬＦ−４０４を二本連結、カラム温度：４０℃、流量：０．３ｍＬ／ｍｉｎとした。あらかじめ分子量が既知のＰＭＭＡ溶液を使って作成した検量線を基に、得られたクロマトグラムからＰＭＭＡ換算の数平均分子量と重量平均分子量を測定した。ポリアミド系樹脂組成物、ポリアミド系樹脂予備発泡粒子についても同様の方法で測定した。【０１０９】
（１２）酸価、アミン価
ポリアミド系樹脂の酸価を、ＪＩＫ  Ｋ００７０に準じて、電位差滴定法で次のようにして測定した。１００ｍＬの三角フラスコに、６０℃で１６時間真空乾燥させた試料１ｇと、ベンジルアルコール８０ｍＬを加えた。空冷管を取り付けた後、２００℃の湯浴中で１３分加熱溶解させた後、室温まで冷却させた。電位差滴定装置（京都電子工業株式会社製、ＡＴ−７１０、電極；京都電子工業株式会社製、複合ガラス電極）を用いて滴定し（滴定液；０．０１ｍоｌ／ＬのＫＯＨアルコール溶液）、得られた変曲点を終点とした。同様の方法でブランク試験も行い、下式より酸価を算出した。
酸価（ｍｇＫＯＨ／ｇ）＝（Ｖａ−Ｖｂ）×Ｎ×ｆ×５６．１１／Ｓ
ただし、Ｖａ；本試験での滴定量（ｍＬ）、Ｖｂ；ブランク試験での滴定液量（ｍＬ）、Ｎ；滴定液の濃度（ｍоｌ／Ｌ）、Ｓ；試料の重量（ｇ）、ｆ；滴定液のファクター
ポリアミド系樹脂のアミン価を、電位差滴定法で次のようにして測定した。１００ｍＬの三角フラスコに、６０℃で１６時間真空乾燥させた試料３ｇと、ｍ−クレゾール８０ｍＬを加え、室温で２４時間撹拌した後、８０℃のホットスターラーで３時間撹拌して溶解させた。試料が溶解したことを確認し、室温まで冷却した。電位差滴定装置（京都電子工業株式会社製、ＡＴ−７１０、電極；京都電子工業株式会社製、複合ガラス電極）を用いて滴定し（滴定液；０．０５ｍоｌ／Ｌ過塩素酸メタノール溶液）、得られた変曲点を終点とした。同様の方法でブランク試験も行い、下式よりアミン価を算出した。
アミン価（ｍｇＫＯＨ／ｇ）＝（Ｖａ−Ｖｂ）×Ｎ×ｆ×５６．１１／Ｓ
ただし、Ｖａ；本試験での滴定量（ｍＬ）、Ｖｂ；ブランク試験での滴定液量（ｍＬ）、Ｎ；滴定液の濃度（ｍоｌ／Ｌ）、Ｓ；試料の重量（ｇ）、ｆ；滴定液のファクター【０１１０】
（１３）結晶融解率
上記条件Ｂで測定された２ｎｄ  ｓｃａｎ  ＤＳＣ曲線用いて結晶融解率を求めた。最大吸熱ピークについて、「補外融解開始温度−２０℃」から「補外融解終了温度＋２０℃」までの全積分値に対する、該最大吸熱ピークの「補外融解開始温度−２０℃」から「補外融解開始温度＋１０℃」までの部分積分値の割合（％）を、補外融解開始温度から１０℃高い温度における結晶融解率とした。なおピーク部分積分値は、示唆走査熱量計（ＤＳＣ）に付属の一般的な解析プログラムを用いて、プロットデータを出力することにより算出した。
また、補外融解終了温度は最大吸熱ピークより高温側における融解終了後のＤＳＣ曲線を近似した直線をベースラインとし、最大吸熱ピークの高温側の変曲点における接線とベースラインとの交点の温度を補外融解終了温度とした。【０１１１】
（Ａ）耐熱性
後述する実施例及び比較例のポリアミド系樹脂発泡成形体の耐熱性について、加熱による寸法変化率、及び加熱後の外観変化を評価した。
（Ａ−１）寸法変化率
発泡成形体を成形後、６０℃の乾燥機を用いて２４時間乾燥させて、発泡成形体に含まれる水分を除去した。この発泡成形体について、ＪＩＳ  Ｋ６７６７の寸法安定性評価・Ｂ法に準拠して、試験片の作製及び加熱試験（１５０℃及び１７０℃、２２時間）を行い、その寸法変化率（％）を評価した。
評価基準としては、寸法変化率が小さいほど、発泡成形体は耐熱性に優れていると判定した。
（Ａ−２）外観変化
上述の（Ａ−１）における加熱試験後の試験片の外観の変化を目視にて評価した。評価基準は、以下の通りである。
○（優れる）：試験片に割れ、収縮、膨張がない。
△（良好）：試験片に割れ、収縮、膨張がわずかに確認されたが、使用上問題のない程度である。
×（不良）：試験片に使用上問題がある程度の割れ、収縮、膨張が確認される。
−：未評価【０１１２】
（Ｂ）曲げ強度
発泡成形体を成形後、６０℃の乾燥機を用いて２４時間乾燥させて、成形体に含まれる水分を除去した。この発泡成形体について、ＪＩＳ  Ｋ７１７１に準拠して、その曲げ強度を測定し、曲げ強度（ＭＰａ）とした。
また、６０℃の乾燥機を用いて２４時間乾燥させたのち、１５０℃のオーブンに５００時間静置させたのち、ＪＩＳ  Ｋ７１７１に準拠して、加熱後の曲げ強度（ＭＰａ）を測定し、加熱前の曲げ強度に対する加熱後の曲げ強度の割合から、加熱前後での強度保持率（％）を算出した。【０１１３】
（Ｃ）外観
発泡成形体を成形直後の発泡成形体の表面の外観を目視にて評価した。評価基準は、以下の通りである。
〇（優れる）：平滑であり、ヒケ反り等が少ない。
△（良好）：予備発泡粒子の収縮し、ヒケ反り等がわずかに見られるが、使用上問題ない程度である。
×（不良）：予備発泡粒子が収縮し、ヒケ反り等が見られ、実用に耐えない。【０１１４】
（Ｄ）融着性
縦：３００ｍｍ、横：３００ｍｍ、厚み：２０ｍｍの板状の発泡成形体の表面にカッターナイフを用いて縦に２等分するように５ｍｍの深さの切り込み線を入れ、この線に沿って発泡成形体を分割した。この分割面に現れた予備発泡粒子に関して、予備発泡粒子が粒子内で破断している（予備発泡粒子が分割面により破壊されている）ものの数（ａ）と、予備発泡粒子同士の界面に沿って破断している（予備発泡粒子同士の界面が分割面になっている）ものの数（ｂ）とを測定し、下記式（２）に従って融着率（％）を算出した。
融着率（％）＝｛ａ／（ａ＋ｂ）｝×１００・・・（２）
この融着率が８０％以上のものを〇（良好）、８０％未満のものを×（不良）として評価した。【０１１５】
（Ｅ）耐油性
ＡＳＴＭ  Ｄ５４３／ＪＩＳ  Ｋ７１１４に準拠して、以下の通り発泡成形体の耐油性を評価した。発泡成形体を成形後、６０℃の乾燥機を用いて２４時間乾燥させて、成形体に含まれる水分を除去した。この発泡成形体を縦：７５ｍｍ、横：２５ｍｍ、厚み：１０ｍｍの板状にカットし、これを機械油（商品名：オマラＳ２Ｇ６８、昭和シェル石油（株））中に２３℃で７日間浸漬して、その前後の体積変化率の絶対値を測定した。体積変化率が５％未満のものを〇（良好）、５％以上のものを×（不良）とした。【０１１６】
（Ｆ）ポリアミド系樹脂発泡成形体の比容
ポリアミド系樹脂発泡成形体を直方体に切り出したのち、質量Ｗ（ｇ）を測定した。体積Ｖ（ｃｃ）を算出し、Ｖ／Ｗ（ｃｃ／ｇ）を比容とした。【０１１７】
（Ｇ）ポリアミド系樹脂発泡成形体の曲げ強度
ポリアミド系樹脂発泡成形体の曲げ強度は、ＪＩＳＫ７１７１（２００８）に従って実施した。真空乾燥処理を４０℃、２４時間以上行った発泡成形体及び発泡成形体の試験片（試験片寸法；長さ３００ｍｍ、幅４０ｍｍ、厚さ２０ｍｍ）を作製した。曲げ強度測定は、島津製作所製  オートグラフ（ＡＧ−５０００Ｄ）型を用いて行い、厚さ方向に荷重を掛けることで曲げ強度（ＭＰａ）を計測した。【０１１８】
［実施例１〜５］
ポリアミド系樹脂としてナイロン６６６（ナイロン６６／６）（商品名：Ｎｏｖａｍｉｄ  ２４３０Ａ、（株）ＤＳＭ製）、ヨウ化銅、ヨウ化カリウム、核剤を、表１に示す割合で混合し、次いで、二軸押出機にて加熱条件下で溶融混練し、その後ストランド状に押出し、冷水槽で水冷し、カッティングを行い、ペレット形状の基材樹脂を作製した。
これに、特開２０１１−１０５８７９号公報の実施例に記載の方法に準じて、基材樹脂に発泡剤としての炭酸ガスを含有させた。そして、炭酸ガスを含めた基材樹脂を加熱することによって、発泡を生じさせて、密度：０．３ｇ／ｃｍ３の予備発泡粒子を得た。
得られた予備発泡粒子を、型内成形金型のキャビティ（キャビティ寸法は、縦：３００ｍｍ、横：３００ｍｍ、高さ：２０ｍｍ）内に、キャビティ体積の７０％に相当する予備発泡粒子を充填し、その後、型締めした。そして、この金型を型内発泡成形機に取り付けた。
その後、キャビティ内に１１９℃の飽和水蒸気を３０秒間供給して、予備発泡粒子を熱融着させることによって成形した。
金型のキャビティ内に冷却水を供給することによって、発泡成形体を冷却し、その後、型開きを行い、発泡成形体を取り出した。
実施例１〜５の評価結果を表１に示す。蛍光Ｘ線によって検出された卑金属元素は銅のみであり、ＩＣＰ−ＡＥＳで測定した質量濃度も表１に示した。【０１１９】
［実施例６］
卑金属元素含有化合物として、ヨウ化銅の代わりに、酢酸銅を０．０２質量部用い、ヨウ化カリウムを使用しなかったこと以外は実施例１と同様に発泡成形体を得た。蛍光Ｘ線によって検出された卑金属元素は銅のみであり、ＩＣＰ−ＡＥＳで測定した質量濃度は１０２ｐｐｍであった。【０１２０】
［実施例７］
卑金属元素含有化合物として、ヨウ化銅の代わりに、亜鉛含有アイオノマー（商品名：ハイミランＨＭ１７０６、三井・デュポン  ポリケイカル（株））を５質量部用い、ヨウ化カリウムを使用しなかったこと以外は実施例１と同様に発泡成形体を得た。蛍光Ｘ線によって検出された卑金属元素は亜鉛のみであり、ＩＣＰ−ＡＥＳで測定した質量濃度は４２ｐｐｍであった。【０１２１】
［実施例８］
卑金属元素含有化合物として、ヨウ化銅の代わりに、塩化鉄（ＩＩ）を０．０５質量部用い、ヨウ化カリウムを使用しなかったこと以外は実施例１と同様に発泡成形体を得た。蛍光Ｘ線によって検出された卑金属元素は鉄のみであり、ＩＣＰ−ＡＥＳで測定した質量濃度は２１１ｐｐｍであった。【０１２２】
［実施例９］
ポリアミド系樹脂としてナイロン６６６（ナイロン６６／６）（商品名：Ｎｏｖａｍｉｄ  ２４３０Ａ、（株）ＤＳＭ製）８０質量部、ナイロン６Ｉ（商品名：Ｇｒｉｖｏｒｙ  Ｇ１６、ＥＭＳ−Ｃｈｅｍｉｅ、Ｇｒｏｓｓ−Ｕｍｓｔａｄｔ）２０質量部を用いた以外は実施例１と同様に発泡成形体を得た。蛍光Ｘ線によって検出された卑金属元素は銅のみであり、ＩＣＰ−ＡＥＳで測定した質量濃度は９５ｐｐｍであった。【０１２３】
［実施例１０］
ポリアミド系樹脂としてナイロン６６６（ナイロン６６／６）（商品名：Ｎｏｖａｍｉｄ  ２４３０Ａ、（株）ＤＳＭ製）４０質量部、ナイロン６Ｉ（商品名：Ｇｒｉｖｏｒｙ  Ｇ１６、ＥＭＳ−Ｃｈｅｍｉｅ、Ｇｒｏｓｓ−Ｕｍｓｔａｄｔ）６０質量部を用いた以外は実施例１と同様に発泡成形体を得た。蛍光Ｘ線によって検出された卑金属元素は銅のみであり、ＩＣＰ−ＡＥＳで測定した質量濃度は９８ｐｐｍであった。【０１２４】
［比較例１］
ヨウ化銅とヨウ化カリウムを添加しなかったこと以外は、実施例１と同様に発泡成形体を得た。蛍光Ｘ線によって卑金属元素は検出されなかった。【０１２５】
［比較例２］
ヨウ化銅の添加量を０．００２質量部にしたこと以外は、実施例１と同様に発泡成形体を得た。蛍光Ｘ線によって検出された卑金属元素は銅のみであり、ＩＣＰ−ＡＥＳで測定した質量濃度は１０ｐｐｍ未満であった。【０１２６】
【表１】
2020196893.tif 000003
【０１２７】
実施例１〜８により、卑金属元素を１０〜３０００質量ｐｐｍ含むポリアミド系樹脂組成物からなる予備発泡粒子は、熱融着温度より５℃高い温度における膨張比が１．０以上となっており、成形体の機械強度もすぐれていた。また、実施例１〜８は、膨張比Ｂも１．０以上であり、機械強度に優れた成形体が得られた。
実施例９〜１０と実施例１とを比較すると、非晶性のポリアミドを添加することで、耐油性、耐熱性は若干劣るものの、より密度が低く、軽量性に優れた発泡成形体を作製できることがわかる。
一方、比較例１、２に示したように、卑金属元素を含まない、又は１０質量ｐｐｍ以下のポリアミド系樹脂からなる予備発泡粒子は、熱融着温度よりも高い温度での膨張比が１．０未満であり且つ膨張比Ｂも１．０未満であり、それにより得られた発泡成形体は、予備発泡粒子の収縮がおき、これにより成形体の外観や融着性、機械強度は劣るものであった。【０１２８】
以降の実施例１１〜４１、比較例３〜９で使用した原材料は下記の通りである。
ＰＡ６／６６（Ａ）:ポリアミド６／６６樹脂、Ｎｏｖａｍｉｄ２４３０Ａ、融点１９２℃
ＰＡ６:ポリアミド６樹脂、ＵＢＥ  Ｎｙｌｏｎ  １０３０Ｂ、融点２２５℃
ＰＡ６Ｉ:ポリアミド６Ｉ樹脂
ＰＡ６／６６（Ｂ）:ポリアミド６／６６樹脂、Ｎｏｖａｍｉｄ２３３０Ｊ、融点２１３℃
ＰＡ６６:ポリアミド６６樹脂、Ｌｅｏｎａ、融点２６５℃【０１２９】
［実施例１１］
ポリアミド系樹脂としてＰＡ６／６６（Ａ）、ＰＡ６を、表２に示す割合で混合し、次いで、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。得られた予備発泡粒子の密度は０．２９ｇ／ｃｍ３であった。
得られたポリアミド系樹脂予備発泡粒子を５０℃のオーブンで１６時間乾燥させた後、オートクレーブ中に封入し、オートクレーブ内の圧力が０．４ＭＰａとなるまで、圧縮空気を１時間かけて導入し、その後、圧力を０．４ＭＰａに２４時間保持することによって、ポリアミド系樹脂予備発泡粒子に加圧処理を施した。加圧処理したポリアミド系樹脂予備発泡粒子を、型内成形金型のキャビティ（キャビティ寸法は、縦：３００ｍｍ、横：３００ｍｍ、高さ：２５ｍｍ）内に充填し、その後、型締めした。そして、この金型を型内発泡成形機に取り付けた。その後、キャビティ内に１０５℃の飽和水蒸気を１０秒間供給し、その後、キャビティ内に１１９℃の飽和水蒸気を３０秒間供給して、ポリアミド系樹脂予備発泡粒子を発泡させ、且つ熱融着させることによって、ポリアミド系樹脂予備発泡粒子を発泡体へ成形した。金型のキャビティ内に冷却水を供給することによって、得られた発泡体を冷却し、その後、型開きを行い、ポリアミド系樹脂発泡成形体を取り出した。【０１３０】
［実施例１２〜２４］
ポリアミド系樹脂を二軸押出機にて加熱条件下で溶融混練する際、ポリアミド種と混合割合を表２に示す通りに変更したこと以外は実施例１１と同様にポリアミド系樹脂発泡成形体を得た。【０１３１】
［実施例２５〜２９］
ポリアミド系樹脂を、表２に示す割合で混合し、次いで、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２４０℃の空気を２０秒間吹き込み、ポリアミド系樹脂予備発泡粒子の集合体を得た。
得られたポリアミド系樹脂予備発泡粒子を５０℃のオーブンで１６時間乾燥させた後、オートクレーブ中に封入し、オートクレーブ内の圧力が０．４ＭＰａとなるまで、圧縮空気を１時間かけて導入し、その後、圧力を０．４ＭＰａに２４時間保持することによって、ポリアミド系樹脂予備発泡粒子に加圧処理を施した。加圧処理したポリアミド系樹脂予備発泡粒子を、型内成形金型のキャビティ（キャビティ寸法は、縦：３００ｍｍ、横：３００ｍｍ、高さ：２５ｍｍ）内に充填し、その後、型締めした。そして、この金型を型内発泡成形機に取り付けた。その後、キャビティ内に１４０℃の飽和水蒸気を１０秒間供給し、その後、キャビティ内に１５０℃の飽和水蒸気を３０秒間供給して、ポリアミド系樹脂予備発泡粒子を発泡させ、且つ熱融着させることによって、ポリアミド系樹脂予備発泡粒子を発泡体へ成形した。金型のキャビティ内に冷却水を供給することによって、得られた発泡体を冷却し、その後、型開きを行い、ポリアミド系樹脂発泡成形体を取り出した。【０１３２】
［実施例３０］
ポリアミド系樹脂としてポリミド６／６６（Ａ）を用い、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を２３℃５５％の恒温恒湿室に４８時間以上保管し、含水率を測定した結果、含水率は３．５％であった。
この得られたポリアミド系樹脂予備発泡粒子をオートクレーブ中に封入し、オートクレーブ内の圧力が０．４ＭＰａとなるまで、圧縮空気を１時間かけて導入し、その後、圧力を０．４ＭＰａに２４時間保持することによって、ポリアミド系樹脂予備発泡粒子に加圧処理を施した。加圧処理したポリアミド系樹脂予備発泡粒子を、型内成形金型のキャビティ（キャビティ寸法は、縦：３００ｍｍ、横：３００ｍｍ、高さ：２５ｍｍ）内に充填し、その後、型締めした。そして、この金型を型内発泡成形機に取り付けた。その後、キャビティ内に１０５℃の飽和水蒸気を１０秒間供給し、その後、キャビティ内に１１９℃の飽和水蒸気を３０秒間供給して、ポリアミド系樹脂予備発泡粒子を発泡させ、且つ熱融着させることによって、ポリアミド系樹脂予備発泡粒子を発泡体へ成形した。金型のキャビティ内に冷却水を供給することによって、得られた発泡体を冷却し、その後、型開きを行い、ポリアミド系樹脂発泡成形体を取り出した。【０１３３】
［実施例３２］
ポリアミド系樹脂としてポリミド６／６６（Ａ）を用い、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に１０分浸漬したのち、脱水機で１０００ｒｐｍ／分で３分脱水処理をし、含水したポリアミド系樹脂予備発泡粒子を得た。この予備発泡粒子の含水率は１２．０％であった。
その後は実施例１１と同様にしてポリアミド系樹脂発泡成形体を作製した。【０１３４】
［実施例３４］
ポリアミド系樹脂を表３に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に１０分浸漬したのち、脱水機で１０００ｒｐｍ／分で３分脱水処理をし、含水したポリアミド系樹脂予備発泡粒子を得た。この予備発泡粒子の含水率は１０．０％であった。
その後は実施例１１と同様にしてポリアミド系樹脂発泡成形体を作製した。【０１３５】
［実施例３５］
ポリアミド系樹脂を表３に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に３０分浸漬したのち、脱水機で１０００ｒｐｍ／分で３分脱水処理をし、含水したポリアミド系樹脂予備発泡粒子を得た。この予備発泡粒子の含水率は１４．６％であった。
その後は実施例１１と同様にしてポリアミド系樹脂発泡成形体を作製した。【０１３６】
［実施例３６］
ポリアミド系樹脂を表３に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に５分浸漬したのち、脱水機で１０００ｒｐｍ／分で３分脱水処理をし、含水したポリアミド系樹脂予備発泡粒子を得た。この予備発泡粒子の含水率は７．５％であった。
その後は実施例１１と同様にしてポリアミド系樹脂発泡成形体を作製した。【０１３７】
［実施例３７］
ポリアミド系樹脂を表３に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に１０分浸漬したのち、脱水機で１０００ｒｐｍ／分で３分脱水処理をし、含水したポリアミド系樹脂予備発泡粒子を得た。この予備発泡粒子の含水率は１０．２％であった。
その後は実施例１１と同様にしてポリアミド系樹脂発泡成形体を作製した。【０１３８】
［比較例３］
ポリアミド系樹脂としてポリアミド６／６６（Ａ）のみを用い、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を５０℃のオーブンで１６時間乾燥させた後、実施例１１と同様にしてポリアミド系樹脂発泡成形体を作製した。【０１３９】
［比較例４］
ポリアミド系樹脂としてポリアミド６／６６（Ａ）のみを用い、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。得られたポリアミド系樹脂予備発泡粒子の含水率は１．５％であった。このポリアミド系樹脂予備発泡粒子を直ちにオートクレーブ中に封入し、オートクレーブ内の圧力が０．４ＭＰａとなるまで、圧縮空気を１時間かけて導入し、その後、圧力を０．４ＭＰａに２４時間保持することによって、ポリアミド系樹脂予備発泡粒子に加圧処理を施した。加圧処理したポリアミド系樹脂予備発泡粒子を、型内成形金型のキャビティ（キャビティ寸法は、縦：３００ｍｍ、横：３００ｍｍ、高さ：２５ｍｍ）内に充填し、その後、型締めした。
その後、実施例１１と同様にしてポリアミド系樹脂発泡成形体を作製した。【０１４０】
［比較例５］
ポリアミド系樹脂としてポリアミド６／６６（Ａ）のみを用い、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に６０分浸漬したのち、脱水機で１０００ｒｐｍ／分で３分脱水処理をし、含水したポリアミド系樹脂予備発泡粒子を得た。この予備発泡粒子の含水率は１５．４％であった。
その後、実施例１１と同様にしてポリアミド系樹脂発泡成形体を作製した。【０１４１】
［比較例６］
ポリアミド系樹脂として、ポリアミド６６が１００質量部に対してポリアミド６を２５質量部の割合で混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２７０℃の空気を２０秒間吹き込み、ポリアミド系樹脂予備発泡粒子の集合体を得た。
ポリアミド系樹脂予備発泡粒子を５０℃のオーブンで１６時間加熱した後、ポリアミド系樹脂発泡成形体を作製しようと試みたが、ポリアミド樹脂の融点が高すぎたため、作製できなかった。【０１４２】
［比較例７、８］
ポリアミド系樹脂として、ポリアミド６／６６（Ａ）とポリアミド６Ｉを表３に示した割合で混合したこと以外は、実施例１１と同様にしてポリアミド系樹脂発泡成形体を作製した。【０１４３】
［実施例４１］
ポリアミド系樹脂を表３に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に１０分浸漬したのち、脱水機で１０００ｒｐｍ／分で３分脱水処理をし、含水したポリアミド系樹脂予備発泡粒子を得た。この予備発泡粒子の含水率は７．０％であった。
このポリアミド系樹脂予備発泡粒子をオートクレーブ中に封入し、オートクレーブ内の圧力が０．４ＭＰａとなるまで、圧縮空気を１時間かけて導入し、その後、圧力を０．４ＭＰａに２４時間保持することによって、ポリアミド系樹脂予備発泡粒子に加圧処理を施した。加圧処理したポリアミド系樹脂予備発泡粒子を、型内成形金型のキャビティ（キャビティ寸法は、縦：３００ｍｍ、横：３００ｍｍ、高さ：２５ｍｍ）内に充填し、その後、型締めした。そして、この金型を型内発泡成形機に取り付けた。その後、キャビティ内に１０５℃の飽和水蒸気を１０秒間供給し、その後、キャビティ内に１２０℃の飽和水蒸気を３０秒間供給して、ポリアミド系樹脂予備発泡粒子を発泡させ、且つ熱融着させることによって、ポリアミド系樹脂予備発泡粒子を発泡体へ成形した。金型のキャビティ内に冷却水を供給することによって、得られた発泡体を冷却し、その後、型開きを行い、ポリアミド系樹脂発泡成形体を取り出した。【０１４４】
［比較例９］
ポリアミド系樹脂を表３に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に１０分浸漬したのち、脱水機で１０００ｒｐｍ／分で３分脱水処理をし、含水したポリアミド系樹脂予備発泡粒子を得た。この発泡粒子の含水率は７．２％であった。
このポリアミド系樹脂予備発泡粒子をオートクレーブ中に封入し、オートクレーブ内の圧力が０．４ＭＰａとなるまで、圧縮空気を１時間かけて導入し、その後、圧力を０．４ＭＰａに２４時間保持することによって、ポリアミド系樹脂予備発泡粒子に加圧処理を施した。加圧処理したポリアミド系樹脂予備発泡粒子を、型内成形金型のキャビティ（キャビティ寸法は、縦：３００ｍｍ、横：３００ｍｍ、高さ：２５ｍｍ）内に充填し、その後、型締めした。そして、この金型を型内発泡成形機に取り付けた。その後、キャビティ内に１０５℃の飽和水蒸気を１０秒間供給し、その後、キャビティ内に１２０℃の飽和水蒸気を３０秒間供給して、ポリアミド系樹脂予備発泡粒子を発泡させ、且つ熱融着させることによって、ポリアミド系樹脂予備発泡粒子を発泡体へ成形した。金型のキャビティ内に冷却水を供給することによって、得られた発泡体を冷却し、その後、型開きを行い、ポリアミド系樹脂発泡成形体を取り出した。【０１４５】
［実施例３１］
ポリアミド系樹脂としてポリミド６／６６（Ａ）と核剤を、表４に示した割合でドライブレンドし、次いで、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に５分浸漬したのち、脱水機で１０００ｒｐｍ／分で３分脱水処理をし、含水したポリアミド系樹脂予備発泡粒子を得た。この予備発泡粒子の含水率は７．５％であった。
この得られたポリアミド系樹脂予備発泡粒子をオートクレーブ中に封入し、オートクレーブ内の圧力が０．４ＭＰａとなるまで、圧縮空気を１時間かけて導入し、その後、圧力を０．４ＭＰａに２４時間保持することによって、ポリアミド系樹脂予備発泡粒子に加圧処理を施した。加圧処理したポリアミド系樹脂予備発泡粒子を、型内成形金型のキャビティ（キャビティ寸法は、縦：３００ｍｍ、横：３００ｍｍ、高さ：２５ｍｍ）内に充填し、その後、型締めした。そして、この金型を型内発泡成形機に取り付けた。その後、キャビティ内に１０５℃の飽和水蒸気を１０秒間供給し、その後、キャビティ内に１１９℃の飽和水蒸気を３０秒間供給して、ポリアミド系樹脂予備発泡粒子を発泡させ、且つ熱融着させることによって、ポリアミド系樹脂予備発泡粒子を発泡体へ成形した。金型のキャビティ内に冷却水を供給することによって、得られた発泡体を冷却し、その後、型開きを行い、ポリアミド系樹脂発泡成形体を取り出した。【０１４６】
［実施例３３］
ポリアミド系樹脂を表４に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に５分浸漬したのち、脱水機で１０００ｒｐｍ／分で３分脱水処理をし、含水したポリアミド系樹脂予備発泡粒子を得た。この予備発泡粒子の含水率は７．７％であった。
その後は実施例１１と同様にしてポリアミド系樹脂発泡成形体を作製した。【０１４７】
［実施例３８］
ポリアミド系樹脂を表４に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に５分浸漬したのち、脱水機で１０００ｒｐｍ／分で３分脱水処理をし、含水したポリアミド系樹脂予備発泡粒子を得た。この予備発泡粒子の含水率は７．８％であった。
その後は実施例１１と同様にしてポリアミド系樹脂発泡成形体を作製した。【０１４８】
［実施例３９］
ポリアミド系樹脂を表４に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に５分浸漬したのち、脱水機で１０００ｒｐｍ／分で３分脱水処理をし、含水したポリアミド系樹脂予備発泡粒子を得た。この予備発泡粒子の含水率は７．５％であった。
その後は実施例１１と同様にしてポリアミド系樹脂発泡成形体を作製した。【０１４９】
［実施例４０］
ポリアミド系樹脂を表４に示すように混合し、二軸押出機にて加熱条件下で溶融混練し、その後ストランド状に押出し、冷水槽で水冷し、カッティングを行い、平均粒子径１．４ｍｍのペレットを得た。
得られたペレットを１０℃の圧力釜に投入し、４ＭＰａの炭酸ガスを吹き込み１２時間吸収させた。次いで炭酸ガス含浸ペレットを発泡装置に移し、２００℃の空気を２０秒間吹き込み、ポリアミド系樹脂予備発泡粒子の集合体を得た。
ポリアミド系樹脂予備発泡粒子を通水性の不織布の袋に入れ、５０℃に加温された恒温水槽に５分浸漬したのち、脱水機で１０００ｒｐｍ／分で３分脱水処理をし、含水したポリアミド系樹脂予備発泡粒子を得た。この予備発泡粒子の含水率は７．６％であった。
その後は実施例１１と同様にしてポリアミド系樹脂発泡成形体を作製した。【０１５０】
【表２】
2020196893.tif 000004
【０１５１】
【表３】
2020196893.tif 000005
【０１５２】
【表４】
2020196893.tif 000006
【産業上の利用可能性】
【０１５３】
本発明のポリアミド系樹脂発泡成形体は、その特徴を活かし、高温条件下で使用される断熱材や自動車部材、例えば、オイルパン、エンジンカバーやシリンダーヘッドカバー、その他カバー形状の部品、インテークマニホールド及びその集積部品、ダクト類、電装品ケース、電池ケース等に好適に利用できる。
【図１】
2020196893.tif 000007
【国際調査報告】
2020196893.tif 000008
2020196893.tif 000009
2020196893.tif 000010
2020196893.tif 000011